(57)【要約】      （修正有）【課題】特定原稿以外の原稿の読取画像がユーザの意図しない画像送信先へ送信されることを防止可能な画像読取装置、画像読取システム、及び画像読取プログラムを提供する。【解決手段】画像読取装置は、原稿トレイと、搬送部と、読取部と、特定送信先情報を記憶する記憶部と、制御部と、を備える。制御部は、読取部によって読み取られるべき対象原稿が特定原稿であるか否かを判断する判断処理（Ｓ１０１）と、判断処理の結果、対象原稿が特定原稿であると判断した場合、読取部によって読み取られた対象原稿の画像データを、特定送信先情報に従って特定原稿の画像送信先へ送信する特定送信処理（Ｓ１０３）と、判断処理の結果、対象原稿が特定原稿でないと判断した場合、特定原稿の画像送信先へ送信する処理を実行しない送信制御処理（Ｓ１０４〜Ｓ１１９）と、を実行する。【選択図】図１０
2019012880.tif 000002
【特許請求の範囲】
【請求項１】
原稿を支持する原稿トレイと、
前記原稿トレイに支持される原稿の有無を検出する原稿有無センサと、
前記原稿トレイに支持される原稿を搬送する搬送部と、
前記搬送部によって搬送される原稿の画像を読み取る読取部と、
特定原稿の画像送信先に対応する特定送信先情報を記憶する記憶部と、
前記搬送部、前記読取部、および原稿の画像データの送信を制御する制御部と、を備え、
前記制御部は、
前記原稿有無センサによって原稿が検出された場合、当該原稿を前記搬送部に搬送させ、前記読取部に当該原稿の画像を読み取らせる自動読取処理と、
前記読取部によって読み取られるべき対象原稿が前記特定原稿であるか否かを判断する判断処理と、
前記判断処理の結果、前記対象原稿が前記特定原稿であると判断した場合、前記読取部によって読み取られた対象原稿の画像データを、前記特定送信先情報に従って前記特定原稿の画像送信先へ送信する特定送信処理と、
前記判断処理の結果、前記対象原稿が前記特定原稿でないと判断した場合、前記特定原稿の画像送信先へ送信する処理を実行しない送信制御処理と、
を実行する画像読取装置。
【請求項２】
請求項１に記載の画像読取装置において、
ユーザにより操作可能な操作部と、
表示部と、を備え、
前記記憶部は、
画像送信先を示す表示情報および前記表示情報で示される画像送信先に対応する送信先情報を記憶し、
前記送信制御処理は、
前記判断処理の結果、前記対象原稿が前記特定原稿でないと判断した場合、前記記憶部に記憶された表示情報に従って前記画像送信先を示す候補画面を前記表示部に表示させる候補表示処理と、
前記操作部の操作に従って、前記候補画面に示される画像送信先から前記対象原稿の画像送信先を決定する送信先決定処理と、
前記読取部によって読み取られた対象原稿の画像データを、前記決定された対象原稿の画像送信先に対応する送信先情報に従って前記対象原稿の画像送信先へ送信する送信処理と、を含む、画像読取装置。
【請求項３】
請求項２に記載の画像読取装置において、
前記制御部は、
第１通信網で通信する第１外部制御装置および前記第１通信網より通信範囲が限定される第２通信網で通信する第２外部制御装置と通信し、
前記記憶部は、
前記第１外部制御装置および前記第２外部制御装置を含む複数の画像送信先を示す複数の表示情報および前記複数の表示情報で示される複数の画像送信先にそれぞれ対応する複数の送信先情報を記憶し、
前記候補表示処理は、
前記判断処理の結果、前記対象原稿が前記特定原稿ではないと判断した場合、前記記憶部に記憶された表示情報に従って前記第１外部制御装置および前記第２外部制御装置を含む複数の画像送信先を示す候補画面を前記表示部に表示させ、
前記送信先決定処理は、
前記操作部の操作に従って、前記候補画面に示される複数の画像送信先のうちから前記対象原稿の画像送信先を決定する、画像読取装置。
【請求項４】
請求項２に記載の画像読取装置において、
決定送信先情報記憶部を備え、
前記制御部は、
前記送信先決定処理によって決定された対象原稿の画像送信先に対応する送信先情報を前記決定送信先情報記憶部に記憶させる送信先記憶処理を実行し、
前記送信処理は、
前記決定送信先情報記憶部に記憶された送信先情報に従って、前記読取部によって読み取られた対象原稿の画像データを、前記決定された対象原稿の画像送信先へ送信し、
前記制御部は、
前記送信処理の終了から一定時間経過後、前記決定送信先情報記憶部に記憶された送信先情報を消去する記憶消去処理と、前記自動読取処理と、前記判断処理と、前記特定送信処理と、前記送信制御処理と、を実行し、
前記送信処理の終了から一定時間経過前に、前記原稿有無センサによって原稿が検出された場合、前記自動読取処理と、前記判断処理と、を実行し、前記判断処理の結果、前記検出された原稿が前記特定原稿でないと判断した場合、前記候補表示処理および前記送信先決定処理を実行することなく、前記送信先情報に従って、前記読取部によって読み取られた原稿の画像データを、前記決定された対象原稿の画像送信先へ送信する再送信処理を実行する、画像読取装置。
【請求項５】
原稿の画像を読み取るスキャナ装置と、当該スキャナ装置と通信可能な外部制御装置と、を備える画像読取システムであって、
前記スキャナ装置は、
原稿を支持する原稿トレイと、
前記原稿トレイに支持される原稿の有無を検出する原稿有無センサと、
前記原稿トレイに支持される原稿を搬送する搬送部と、
前記搬送部によって搬送される原稿の画像を読み取る読取部と、
読取操作部と、
読取表示部と、
前記外部制御装置を含む複数の画像送信先をそれぞれ示す複数の表示情報を記憶する表示情報記億部と、
前記複数の画像送信先にそれぞれ対応する複数の送信先情報を記憶する送信先情報記憶部と、
特定送信先情報記憶部と、
前記搬送部、前記読取部、および原稿の画像データの送信を制御する読取制御部であって、前記外部制御装置と通信する読取制御部と、を備え、
前記外部制御装置は、
外部操作部と、
外部表示部と、
外部制御部と、を備え、
前記外部制御部は、
前記スキャナ装置の表示情報記憶部に記憶された複数の表示情報に従って、前記複数の画像送信先を示す候補画面を前記外部表示部に表示させる外部表示処理と、
前記外部操作部の操作に従って、前記候補画面に示される複数の画像送信先のうちから特定原稿の画像送信先を決定する特定原稿決定処理と、
前記読取部によって原稿の画像を自動的に読み取る自動読取モードを前記スキャナ装置に設定する設定処理と、
を実行し、
前記読取制御部は、
前記外部制御装置によって前記設定処理が実行された場合、前記外部制御装置によって決定された特定原稿の画像送信先に対応する特定送信先情報を前記特定送信先情報記憶部に記憶させる特定送信先記憶処理と、
前記読取部によって読み取られるべき対象原稿が前記特定原稿であるか否かを判断する判断処理と、
前記原稿有無センサによって原稿が検出された場合、当該原稿を前記搬送部に搬送させ、前記読取部に当該原稿の画像を読み取らせる自動読取処理と、
前記判断処理の結果、前記対象原稿が前記特定原稿であると判断した場合、前記特定送信先情報記憶部に記憶された特定送信先情報に従って、前記読取部によって読み取られた対象原稿の画像データを前記決定された特定原稿の画像送信先へ送信する特定送信処理と、
前記判断処理の結果、前記対象原稿が前記特定原稿でないと判断した場合、前記表示情報記憶部に記憶された複数の表示情報に従って、前記複数の画像送信先を示す候補画面を前記読取表示部に表示させる候補表示処理と、
前記読取操作部の操作に従って、前記候補画面に示される複数の画像送信先のうちから前記対象原稿の画像送信先を決定する送信先決定処理と、
前記読取部によって読み取られた対象原稿の画像データを前記決定された対象原稿の画像送信先に対応する送信先情報に従って前記対象原稿の画像送信先へ送信する送信処理と、を実行する画像読取システム。
【請求項６】
請求項２に記載の画像読取装置において、
前記原稿トレイに支持された原稿の原稿幅を検出するための原稿幅センサを備え、
前記記憶部は、
前記特定原稿の原稿サイズである特定原稿サイズを記憶し、
前記判断処理は、
前記原稿幅センサによって検出された原稿幅に従って決定された決定原稿サイズと、前記特定原稿サイズとが、一致する場合に前記対象原稿が前記特定原稿であると判断し、前記決定原稿サイズと、前記特定原稿サイズとが、一致しない場合に前記対象原稿が前記特定原稿でないと判断し、
前記制御部は、
前記判断処理の結果、前記対象原稿が前記特定原稿であると判断した場合、前記特定原稿サイズを前記読取部の読取範囲として前記自動読取処理を実行するとともに、前記特定送信処理を実行し、
前記判断処理の結果、前記対象原稿が前記特定原稿でないと判断した場合、前記候補表示処理と、前記送信先決定処理と、前記候補表示処理の実行後、前記搬送部に前記対象原稿を搬送させ、前記読取部に前記対象原稿の画像を読み取らせる読取処理と、前記送信処理と、を実行する、画像読取装置。
【請求項７】
請求項２に記載の画像読取装置において、
前記自動読取処理によって読み取られた対象原稿の画像データから、前記対象原稿を識別する対象原稿識別情報を取得する画像処理部を備え、
前記記憶部は、
前記特定原稿を識別するための特定原稿識別情報を記憶し、
前記判断処理は、前記画像処理部によって取得された対象原稿識別情報と、前記特定原稿識別情報とが、一致する場合に前記対象原稿が前記特定原稿であると判断し、前記対象原稿識別情報と、前記特定原稿識別情報とが、一致しない場合に前記対象原稿が前記特定原稿でないと判断する、画像読取装置。
【請求項８】
原稿を支持する原稿トレイと、前記原稿トレイに支持される原稿の有無を検出する原稿有無センサと、前記原稿トレイに支持される原稿を搬送する搬送部と、前記搬送部によって搬送される原稿の画像を読み取る読取部と、特定原稿の画像送信先に対応する特定送信先情報を記憶する記憶部と、を備え、前記搬送部、前記読取部、および原稿の画像データの送信を制御するスキャナ装置のコンピュータが、実行する画像読取プログラムであって、
前記原稿有無センサによって原稿が検出された場合、当該原稿を前記搬送部に搬送させ、前記読取部に当該原稿の画像を読み取らせる自動読取処理と、
前記読取部によって読み取られるべき対象原稿が前記特定原稿であるか否かを判断する判断処理と、
前記判断処理の結果、前記対象原稿が前記特定原稿であると判断した場合、前記読取部によって読み取られた対象原稿の画像データを、前記特定送信先情報に従って前記特定原稿の画像送信先へ送信する特定送信処理と、
前記判断処理の結果、前記対象原稿が前記特定原稿でないと判断した場合、前記特定原稿の画像送信先へ送信する処理を実行しない送信制御処理と、をコンピュータに実行させる画像読取プログラム。
【発明の詳細な説明】
【技術分野】
【０００１】
本発明は、画像読取装置、画像読取システム、及び画像読取プログラムに関する。
【背景技術】
【０００２】
従来、特許文献１に記載の通り、所定の設定（例えば、自動読取設定）がなされているか否かを判断し、自動読取設定がなされている場合、原稿が原稿トレイにセットされたことを原稿センサによって検出し、スタートキーが押されることなく、原稿の読み取りを開始する画像形成装置が知られている。
【先行技術文献】
【特許文献】
【０００３】
【特許文献１】特開２０００−３４９９７９号公報
【発明の概要】
【発明が解決しようとする課題】
【０００４】
特許文献１に示すような自動読取設定を有する画像形成装置において、重要な原稿である特定原稿を原稿トレイにセットすると自動的に特定原稿を搬送し、特定原稿の画像を読み取り、読取画像をサーバへ送信して、重要な原稿である特定原稿の画像を管理する使い方が考えられる。
【０００５】
例えば、携帯電話会社では、画像形成装置において、重要な原稿である契約書の画像を読み取り、読取画像を送信先である自社サーバへ送信している。契約書の読取画像を自社サーバへ送信する業務は主要業務であるため、上記画像形成装置の通常の設定は自動読取設定となっている。
【０００６】
しかしながら、従業員は、業者から受け取った名刺の読取画像を自己のＰＣへ送信させるために、上記画像形成装置の原稿トレイに名刺をセットすると、上記画像形成装置は自動読取設定が設定されているため、自動的に名刺の画像を読み取り、読取画像が自社サーバへ送信されてしまう問題が発生する。
【０００７】
本発明は、上述した問題点を解決するためになされたものであり、原稿トレイに支持された原稿を自動的に搬送して読み取る装置において、特定原稿以外の原稿の読取画像がユーザの意図しない画像送信先へ送信されることを防止可能な画像読取装置、画像読取システム、及び画像読取プログラムを提供することを目的とする。
【課題を解決するための手段】
【０００８】
上記目的を達成するために、請求項１に記載の発明態様では、画像読取装置は、原稿を支持する原稿トレイと、前記原稿トレイに支持される原稿の有無を検出する原稿有無センサと、前記原稿トレイに支持される原稿を搬送する搬送部と、前記搬送部によって搬送される原稿の画像を読み取る読取部と、特定原稿の画像送信先に対応する送信先情報を記憶する記憶部と、前記搬送部、前記読取部、および原稿の画像データの送信を制御する制御部と、を備え、前記制御部は、前記原稿有無センサによって原稿が検出された場合、当該原稿を前記搬送部に搬送させ、前記読取部に当該原稿の画像を読み取らせる自動読取処理と、前記読取部によって読み取られるべき対象原稿が前記特定原稿であるか否かを判断する判断処理と、前記判断処理の結果、前記対象原稿が前記特定原稿であると判断した場合、前記読取部によって読み取られた対象原稿の画像データを、前記特定原稿の画像送信先に対応する送信先情報に従って前記特定原稿の画像送信先へ送信する特定送信処理と、前記判断処理の結果、前記対象原稿が前記特定原稿でないと判断した場合、前記特定原稿の画像送信先へ送信する処理を実行しない送信制御処理と、を実行する。
【０００９】
本発明態様によれば、原稿トレイに支持された原稿を自動的に搬送して読み取る画像読取装置において、制御部が送信制御処理を実行することにより、特定原稿以外の原稿の読取画像がユーザの意図しない画像送信先へ送信されることを防止可能である。
【００１０】
請求項２に記載の具体的態様では、画像読取装置は、ユーザにより操作可能な操作部と、表示部と、を備え、前記記憶部は、画像送信先を示す表示情報および前記表示情報で示される画像送信先に対応する送信先情報を記憶し、前記送信制御処理は、前記判断処理の結果、前記対象原稿が前記特定原稿でないと判断した場合、前記記憶部に記憶された表示情報に従って前記画像送信先を示す候補画面を前記表示部に表示させる候補表示処理と、前記操作部の操作に従って、前記候補画面に示される画像送信先から前記対象原稿の画像送信先を決定する送信先決定処理と、前記読取部によって読み取られた対象原稿の画像データを、前記決定された対象原稿の画像送信先に対応する送信先情報に従って前記対象原稿の画像送信先へ送信する送信処理と、を含む。
【００１１】
制御部が候補表示処理を実行することにより、画像送信先を示す候補画面を表示部に表示させるユーザの操作が必要無くなり、画像送信先を示す候補画面を表示部に表示しない場合に比べて、ユーザは、対象原稿の画像送信先を決定する操作を容易に行うことができる。
【００１２】
請求項３に記載の具体的態様では、制御部は、第１通信網で通信する第１外部制御装置および前記第１通信網より通信範囲が限定される第２通信網で通信する第２外部制御装置と通信し、前記記憶部は、前記第１外部制御装置および前記第２外部制御装置を含む複数の画像送信先を示す複数の表示情報および前記複数の表示情報で示される複数の画像送信先にそれぞれ対応する複数の送信先情報を記憶し、前記候補表示処理は、前記判断処理の結果、前記対象原稿が前記特定原稿ではないと判断した場合、前記記憶部に記憶された表示情報に従って前記第１外部制御装置および前記第２外部制御装置を含む複数の画像送信先を示す候補画面を前記表示部に表示させ、前記送信先決定処理は、前記操作部の操作に従って、前記候補画面に示される複数の画像送信先のうちから前記対象原稿の画像送信先を決定する。
【００１３】
制御部が、候補表示処理を実行することで、ユーザは、第２通信網で通信する第２外部制御装置を、対象原稿の画像送信先として決定するための操作を行うことができ、第２外部制御装置をユーザの所望の画像データを管理するために利用することができる。
【００１４】
請求項４に記載の具体的態様では、画像読取装置は、決定送信先情報記憶部を備え、前記制御部は、前記送信先決定処理によって決定された対象原稿の画像送信先に対応する送信先情報を前記決定送信先情報記憶部に記憶させる送信先記憶処理を実行し、前記送信処理は、前記決定送信先情報記憶部に記憶された送信先情報に従って、前記読取部によって読み取られた対象原稿の画像データを、前記決定された対象原稿の画像送信先へ送信し、前記制御部は、前記送信処理の終了から一定時間経過後、前記決定送信先情報記憶部に記憶された送信先情報を消去する記憶消去処理と、前記自動読取処理と、前記判断処理と、前記特定送信処理と、前記送信制御処理と、を実行し、前記送信処理の終了から一定時間経過前に、前記原稿有無センサによって原稿が検出された場合、前記自動読取処理と、前記判断処理と、を実行し、前記判断処理の結果、前記検出された原稿が前記特定原稿でないと判断した場合、前記候補表示処理および前記送信先決定処理を実行することなく、前記送信先情報に従って、前記読取部によって読み取られた原稿の画像データを、前記決定された対象原稿の画像送信先へ送信する再送信処理を実行する。
【００１５】
制御部が、再送信処理を実行することで、特定原稿ではないと判断する毎に候補画面を表示部に表示する場合に比べて、候補画面を表示する表示処理が必要無くなるとともに、対象原稿の画像送信先を決定するためのユーザの操作が必要無くなる。
【００１６】
請求項５に記載の発明態様では、画像読取システムは、原稿の画像を読み取るスキャナ装置と、当該スキャナ装置と通信可能な外部制御装置と、を備える画像読取システムであって、前記スキャナ装置は、原稿を支持する原稿トレイと、前記原稿トレイに支持される原稿の有無を検出する原稿有無センサと、前記原稿トレイに支持される原稿を搬送する搬送部と、前記搬送部によって搬送される原稿の画像を読み取る読取部と、読取操作部と、読取表示部と、前記外部制御装置を含む複数の画像送信先をそれぞれ示す複数の表示情報を記憶する表示情報記億部と、前記複数の画像送信先にそれぞれ対応する複数の送信先情報を記憶する送信先情報記憶部と、特定送信先情報記憶部と、前記搬送部、前記読取部、および原稿の画像データの送信を制御する読取制御部であって、前記外部制御装置と通信する読取制御部と、を備え、前記外部制御装置は、外部操作部と、外部表示部と、外部制御部と、を備え、前記外部制御部は、前記スキャナ装置の表示情報記憶部に記憶された複数の表示情報に従って、前記複数の画像送信先を示す候補画面を前記外部表示部に表示させる外部表示処理と、前記外部操作部の操作に従って、前記候補画面に示される複数の画像送信先のうちから特定原稿の画像送信先を決定する特定原稿決定処理と、前記読取部によって原稿の画像を自動的に読み取る自動読取モードを前記スキャナ装置に設定する設定処理と、を実行し、前記読取制御部は、前記外部制御装置によって前記設定処理が実行された場合、前記外部制御装置によって決定された特定原稿の画像送信先に対応する特定送信先情報を前記特定送信先情報記憶部に記憶させる特定送信先記憶処理と、前記読取部によって読み取られるべき対象原稿が前記特定原稿であるか否かを判断する判断処理と、前記原稿有無センサによって原稿が検出された場合、当該原稿を前記搬送部に搬送させ、前記読取部に当該原稿の画像を読み取らせる自動読取処理と、前記判断処理の結果、前記対象原稿が前記特定原稿であると判断した場合、前記特定送信先情報記憶部に記憶された特定送信先情報に従って、前記読取部によって読み取られた対象原稿の画像データを前記決定された特定原稿の画像送信先へ送信する特定送信処理と、前記判断処理の結果、前記対象原稿が前記特定原稿でないと判断した場合、前記表示情報記憶部に記憶された複数の表示情報に従って、前記複数の画像送信先を示す候補画面を前記読取表示部に表示させる候補表示処理と、前記読取操作部の操作に従って、前記候補画面に示される複数の画像送信先のうちから前記対象原稿の画像送信先を決定する送信先決定処理と、前記読取部によって読み取られた対象原稿の画像データを前記決定された対象原稿の画像送信先に対応する送信先情報に従って前記対象原稿の画像送信先へ送信する送信処理と、を実行する。
【００１７】
原稿トレイに支持された原稿を自動的に搬送して読み取る画像読取システムにおいて、読取制御部が、候補表示処理、送信先決定処理、および送信処理を実行することにより、特定原稿以外の原稿の読取画像がユーザの意図しない画像送信先へ送信されることを防止可能である。
【００１８】
請求項６に記載の具体的態様では、画像読取装置は、前記原稿トレイに支持された原稿の原稿幅を検出するための原稿幅センサを備え、前記記憶部は、前記特定原稿の原稿サイズである特定原稿サイズを記憶し、前記判断処理は、前記原稿幅センサによって検出された原稿幅に従って決定された決定原稿サイズと、前記特定原稿サイズとが、一致する場合に前記対象原稿が前記特定原稿であると判断し、前記決定原稿サイズと、前記特定原稿サイズとが、一致しない場合に前記対象原稿が前記特定原稿でないと判断し、前記制御部は、前記判断処理の結果、前記対象原稿が前記特定原稿であると判断した場合、前記特定原稿サイズを前記読取部の読取範囲として前記自動読取処理を実行するとともに、前記特定送信処理を実行し、前記判断処理の結果、前記対象原稿が前記特定原稿でないと判断した場合、前記候補表示処理と、前記送信先決定処理と、前記候補表示処理の実行後、前記搬送部に前記対象原稿を搬送させ、前記読取部に前記対象原稿の画像を読み取らせる読取処理と、前記送信処理と、を実行する。
【００１９】
制御部は、判断処理の結果、対象原稿が特定原稿でないと判断した場合、候補表示処理の実行後、読取処理を実行することで、読取処理の実行後、判断処理および候補表示処理を実行する場合に比べて、制御部は候補画面を表示部に早期に表示させることができ、ユーザは早期に対象原稿が特定原稿ではないと気付くことができる。
【００２０】
請求項７に記載の具体的態様では、画像読取装置は、前記自動読取処理によって読み取られた対象原稿の画像データから、前記対象原稿を識別する対象原稿識別情報を取得する画像処理部を備え、前記記憶部は、前記特定原稿を識別するための特定原稿識別情報を記憶し、前記判断処理は、前記画像処理部によって取得された対象原稿識別情報と、前記特定原稿識別情報とが、一致する場合に前記対象原稿が前記特定原稿であると判断し、前記対象原稿識別情報と、前記特定原稿識別情報とが、一致しない場合に前記対象原稿が前記特定原稿でないと判断する。
【００２１】
制御部は、判断処理を実行することで、原稿を識別する対象識別情報に従って判断処理を実行しない場合に比べて、特定原稿を識別する精度を向上させることが可能である。
【００２２】
請求項８に記載の発明態様では、画像読取プログラムは、原稿を支持する原稿トレイと、前記原稿トレイに支持される原稿の有無を検出する原稿有無センサと、前記原稿トレイに支持される原稿を搬送する搬送部と、前記搬送部によって搬送される原稿の画像を読み取る読取部と、特定原稿の画像送信先に対応する送信先情報を記憶する記憶部と、を備え、前記搬送部、前記読取部、および原稿の画像データの送信を制御するスキャナ装置のコンピュータが、実行する画像読取プログラムであって、前記原稿有無センサによって原稿が検出された場合、当該原稿を前記搬送部に搬送させ、前記読取部に当該原稿の画像を読み取らせる自動読取処理と、前記読取部によって読み取られるべき対象原稿が前記特定原稿であるか否かを判断する判断処理と、前記判断処理の結果、前記対象原稿が前記特定原稿であると判断した場合、前記読取部によって読み取られた対象原稿の画像データを、前記特定原稿の画像送信先に対応する送信先情報に従って前記特定原稿の画像送信先へ送信する特定送信処理と、前記判断処理の結果、前記対象原稿が前記特定原稿でないと判断した場合、前記特定原稿の画像送信先へ送信する処理を実行しない送信制御処理と、をコンピュータに実行させる。
【００２３】
原稿トレイに支持された原稿を自動的に搬送して読み取るスキャナ装置において、スキャナ装置が送信制御処理を実行することにより、特定原稿以外の原稿の読取画像がユーザの意図しない画像送信先へ送信されることを防止可能である。
【発明の効果】
【００２４】
本発明によれば、原稿トレイに支持された原稿を自動的に搬送して読み取る装置において、特定原稿以外の原稿の読取画像がユーザの意図しない画像送信先へ送信されることを防止可能な画像読取装置、画像読取システム、及び画像読取プログラムを提供することができる。
【図面の簡単な説明】
【００２５】
【図１】第１実施形態の画像読取システム２００におけるスキャナ装置１の内部構成を右方から見た側面図である。
【図２】第１実施形態におけるスキャナ装置１の原稿トレイ２および搬送経路２０を上方から見た平面図である。
【図３】第１実施形態の画像読取システム２００の電気的構成を概略的に示すブロック図である。
【図４】第１実施形態におけるスキャナ装置１の原稿サイズ検知処理で用いられるテーブルを示す図である。
【図５】第１実施形態におけるスキャナ装置１と接続されたＰＣ１００の第２表示部１０６に表示される自動読取設定の登録画面を示す図である。
【図６】第１実施形態におけるスキャナ装置１の第１ＲＡＭ９２に記憶される画像送信先等のテーブルを示す図である。
【図７】第１実施形態におけるスキャナ装置１の第１ＲＡＭ９２に記憶される表示画像等のテーブルを示す図である。
【図８】第１実施形態におけるスキャナ装置１の第１表示部６に表示される画面を示す図である。
【図９】第１実施形態におけるスキャナ装置１のメイン処理を示すフローチャートである。
【図１０】第１実施形態におけるスキャナ装置１の自動原稿搬送読取処理を示すフローチャートである。
【図１１】第１実施形態におけるスキャナ装置１の原稿搬送読取処理を示すフローチャートである。
【図１２】第２実施形態の画像読取システム２００におけるスキャナ装置１と接続されたＰＣ１００の第２表示部１０６に表示される自動読取設定の登録画面を示す図である。
【図１３】第２実施形態におけるスキャナ装置１の第１ＲＡＭ９２に記憶される画像送信先等のテーブルを示す図である。
【図１４】第２実施形態におけるスキャナ装置１の自動原稿搬送読取処理を示すフローチャートである。
【発明を実施するための形態】
【００２６】
［第１実施形態］
以下、本発明の第１実施形態の画像読取システム２００におけるスキャナ装置１について図面を参照して説明する。図１、および図２において、前後方向、左右方向および上下方向は矢印により表示される。図２に示す各方向は、全て図１に示す各方向に対応させて表示する。
【００２７】
＜スキャナ装置１の機械的構成＞
図１において、スキャナ装置１は、原稿トレイ２と、本体部３と、排紙トレイ４とを備える。第１操作部５、および第１表示部６が、本体部３の上面に配置される。第１操作部５は、電源スイッチ、十字キー、および確定キーを含み、ユーザからの操作指示等を受け付ける。例えば、第１操作部５は、読取動作の開始を指示する開始ボタンなどを含む。第１表示部６は、ＬＣＤを含み、スキャナ装置１の状況を表示する。
【００２８】
搬送経路２０が、本体部３の内部に形成される。原稿トレイ２の原稿載置面２ａに載置された原稿ＧＳは、搬送経路２０に沿って搬送方向ＦＤに搬送され、排紙トレイ４に排出される。給紙ローラ２１と、分離パッド２２と、一対の第１搬送ローラ２３と、読取部２４と、プラテンガラス２５と、一対の第２搬送ローラ２６とが、搬送経路２０に沿って配置される。
【００２９】
給紙ローラ２１は、分離パッド２２と協働して、原稿載置面２ａに載置された複数枚の原稿ＧＳを、１枚ずつ給送する。第１搬送ローラ２３、および第２搬送ローラ２６は、モータ７２（図３参照）により駆動される。プラテンガラス２５は、光透過性を有し、搬送経路２０の下側において搬送経路２０に沿って配置される。第１搬送ローラ２３、および第２搬送ローラ２６は、給紙ローラ２１から給送された原稿ＧＳがプラテンガラス２５の上を通過するように原稿ＧＳを搬送する。本実施形態では、原稿ＧＳの読み取り面が原稿載置面２ａに向くように原稿ＧＳが原稿トレイ２に載置される。
【００３０】
読取部２４は、搬送経路２０の下側に配置され、プラテンガラス２５を通過する原稿ＧＳの読み取り面の画像を図２に示す読取位置Ｄ３で読み取る。読取部２４は、ＣＩＳ（Ｃｏｎｔａｃｔ  Ｉｍａｇｅ  Ｓｅｎｓｏｒ）で構成される。ＣＩＳは、イメージセンサ、光源、およびロッドレンズアレイで構成される。イメージセンサ、光源、およびロッドレンズアレイの図示は省略する。イメージセンサは、複数の受光素子が搬送方向ＦＤと直交する主走査方向ＭＤに配列されたリニアイメージセンサである。光源から出射された光が原稿ＧＳの読み取り面などにより反射されたときに、ロッドレンズアレイは、反射光をイメージセンサに結像する。これにより、原稿ＧＳの画像が主走査方向ＭＤに１ライン分読み取られる。
【００３１】
一対の原稿ガイド３０は、図２に示すように、原稿載置面２ａ上に配置される。一対の原稿ガイド３０は、ユーザからの手動操作によって原稿載置面２ａ上の中心線Ｌ０を基準に左右対称に連動して主走査方向ＭＤに沿って移動可能となるように構成されている。ユーザは、原稿ＧＳを位置合わせするとき、一対の原稿ガイド３０同士の主走査方向ＭＤの間隔が原稿ＧＳの主走査方向ＭＤの幅とほぼ等しくなるように、一対の原稿ガイド３０を主走査方向ＭＤに沿って移動させる。ユーザは、一対の原稿ガイド３０の間に原稿ＧＳを載置することにより、原稿ＧＳの主走査方向ＭＤの中心を中心線Ｌ０上に位置合わせ（中央合わせ）することができる。
【００３２】
原稿載置検知センサ２７は、原稿載置面２ａ上の検出位置Ｄ１上において、中心線Ｌ０近傍に配置される。原稿載置検知センサ２７は、原稿載置面２ａ上に原稿ＧＳが一対の原稿ガイド３０によって中央合わせされて載置されたときにオンするように構成されている。原稿載置検知センサ２７は、原稿載置面２ａ上に原稿ＧＳが載置されていないときにオフする。
【００３３】
第１原稿幅検知センサ２８ａおよび第２原稿幅検知センサ２８ｂは、原稿載置検知センサ２７と同じ検出位置Ｄ１上に配置される。第１原稿幅検知センサ２８ａおよび第２原稿幅検知センサ２８ｂは、原稿ＧＳが一対の原稿ガイド３０によって中央合わせされて原稿載置面２ａ上に載置されたときに、原稿ＧＳをそれぞれＡ４サイズ、Ｂ５サイズ、および名刺サイズの原稿と区別できる位置に配置される。具体的には、図２に示すように、第１原稿幅検知センサ２８ａおよび第２原稿幅検知センサ２８ｂは、定型サイズであるＡ４サイズ（約２１０ｍｍ×２９７ｍｍ）の短辺の幅（約２１０ｍｍ）、Ｂ５サイズ（約１８２ｍｍ×２５７ｍｍ）の短辺の幅（約１８２ｍｍ）、および名刺サイズ（約５５ｍｍ×９１ｍｍ）の短辺の幅（約５５ｍｍ）、を区別できる位置に配置される。第１原稿幅検知センサ２８ａおよび第２原稿幅検知センサ２８ｂが、中央合わせされた原稿ＧＳの原稿サイズ毎で、オン、またはオフの状態となることにより、原稿ＧＳの原稿サイズ検知が可能となる。詳細は後述する。
【００３４】
原稿搬送検知センサ２９は、搬送経路２０において第１搬送ローラ２３と読取位置Ｄ３との間の検出位置Ｄ２上において、主走査方向ＭＤの中央近傍に配置される。原稿搬送検知センサ２９は、原稿ＧＳが搬送経路２０上の検出位置Ｄ２を通過する場合にオンし、原稿ＧＳが検出位置Ｄ２を通過していない場合にオフする。つまり、原稿搬送検知センサ２９は、検出位置Ｄ２を通過する原稿ＧＳを検出する。
【００３５】
＜スキャナ装置１の電気的構成＞
本実施形態の画像読取システム２００は、スキャナ装置１とＰＣ１００とで構成されている。
【００３６】
スキャナ装置１の電気的構成について図３を参照して説明する。図３において、スキャナ装置１は、第１ＣＰＵ９０、ＲＯＭ９１、第１ＲＡＭ９２、ＥＥＰＲＯＭ（登録商標）９３、読取部２４、画像処理部９４、および駆動部７を主な構成要素として備える。これらの構成要素は、バス９を介して、第１操作部５、第１表示部６、原稿載置検知センサ２７、第１原稿幅検知センサ２８ａ、第２原稿幅検知センサ２８ｂ、原稿搬送検知センサ２９、および第１通信部１５に接続される。
【００３７】
ＲＯＭ９１は、後述するメイン処理、自動原稿搬送読取処理、自動原稿搬送読取処理のサブルーチン処理など、スキャナ装置１の各種動作を実行するためのプログラムを記憶する。第１ＣＰＵ９０は、ＲＯＭ９１から読み出されたプログラムに従って、各部の制御を行う。第１ＲＡＭ９２は、第１ＣＰＵ９０の制御処理により生成された算出結果、および読取部２４によって読み取られた画像データを一時的に記憶する。ＥＥＰＲＯＭ９３は、読み書き可能な不揮発性メモリであり、第１ＣＰＵ９０の制御処理により生成された各種のデータ、および後述する自動読取設定のデータを記憶する。画像処理部９４は、画像処理用の専用ＩＣであるＡＳＩＣから構成され、デジタルデータに各種の画像処理を施す。画像処理は、例えば、シェーディング補正などの各種の補正処理である。
【００３８】
ＲＯＭ９１は、図４に示すように、第１原稿幅検知センサ２８ａおよび第２原稿幅検知センサ２８ｂのオンまたはオフの状態と定形サイズとが対応付けられたテーブルを記憶する。第１ＣＰＵ９０は、第１原稿幅検知センサ２８ａおよび第２原稿幅検知センサ２８ｂのオンまたはオフの状態と、ＲＯＭ９１に記憶された図４に示すテーブルとに従って、原稿ＧＳの原稿サイズを決定する。図２に示すように、ユーザがＡ４サイズの原稿ＧＳを原稿載置面２ａに中央合わせで載置すると、第１原稿幅検知センサ２８ａはオンし、第２原稿幅検知センサ２８ｂはオンする。第１原稿幅検知センサ２８ａおよび第２原稿幅検知センサ２８ｂがオンの状態は、図４に示すテーブルにおいて、Ａ４サイズと対応付けられている。第１ＣＰＵ９０は、原稿ＧＳの原稿サイズを、Ａ４サイズと決定する。ユーザが、図２に示すように、Ｂ５サイズの原稿ＧＳまたは名刺サイズの原稿ＧＳを原稿載置面２ａに中央合わせで載置する場合も同様である。Ｂ５サイズの原稿ＧＳでは、第１原稿幅検知センサ２８ａはオフし、第２原稿幅検知センサ２８ｂはオンする。第１原稿幅検知センサ２８ａがオフの状態、かつ、第２原稿幅検知センサ２８ｂがオンの状態は、図４に示すテーブルにおいて、Ｂ５サイズと対応付けられている。第１ＣＰＵ９０は、原稿ＧＳの原稿サイズを、Ｂ５サイズと決定する。名刺サイズの原稿ＧＳでは、第１原稿幅検知センサ２８ａおよび第２原稿幅検知センサ２８ｂはオフする。第１原稿幅検知センサ２８ａおよび第２原稿幅検知センサ２８ｂがオフの状態は、図４に示すテーブルにおいて、名刺サイズと対応付けられている。第１ＣＰＵ９０は、原稿ＧＳの原稿サイズを、名刺サイズと決定する。
【００３９】
駆動部７は、図３に示すように、駆動制御部７０、ドライバ７１、およびモータ７２を含んで構成される。駆動制御部７０は、第１ＣＰＵ９０から送信される駆動指令に従ってＰＷＭによってドライバ７１へパルス制御信号および回転方向の制御信号を送信してモータ７２を回転させるためのハードウェアである。第１ＣＰＵ９０が駆動制御部７０に送信する駆動指令は、回転量、回転方向、および回転速度の指令である。駆動制御部７０は、回転量の駆動指令に対応した送信パルス数、および回転速度の駆動指令に対応した送信パルス周波数のパルス制御信号をドライバ７１へ送信する。駆動制御部７０は、回転方向の駆動指令に対応した回転方向の制御信号を上記パルス制御信号と合わせてドライバ７１へ送信する。ドライバ７１は、駆動制御部７０から入力されるパルス制御信号および回転方向の制御信号に従って、モータ７２の各相の巻線に流す電流のタイミングおよび各相の巻線に流す電流の順序を制御可能となるように構成されたハードウェアである。駆動制御部７０が、第１ＣＰＵ９０からの駆動指令に対応する送信パルス周波数および送信パルス数のパルス制御信号をドライバ７１へ送信することで、モータ７２の回転速度および回転数が制御される。駆動制御部７０が、第１ＣＰＵ９０からの駆動指令に対応するモータ７２の回転方向の制御信号をドライバ７１へ送信することで、モータ７２の回転方向が制御される。モータ７２は、本実施形態では、ステッピングモータである。
【００４０】
カウンタ９５は、駆動制御部７０が１パルスのパルス制御信号をドライバ７１へ送信する度に送信パルス数を１だけ増加させる。第１ＣＰＵ９０が、駆動指令の送信を開始すると、カウンタ９５を初期化し、カウンタ９５は、駆動制御部７０の送信パルス数のカウントを開始する。第１ＣＰＵ９０が、駆動指令の送信を終了すると、カウンタ９５は、駆動制御部７０の送信パルス数のカウントを終了する。
【００４１】
モータ７２は、駆動部７の駆動制御部７０が１パルスのパルス制御信号をドライバ７１へ送信する毎に、所定の回転角度分だけ回転する。モータ７２が所定の回転角度分だけ回転すると、給紙ローラ２１、第１搬送ローラ２３、および第２搬送ローラ２６が所定の回転角度分だけ回転し、搬送経路２０において原稿ＧＳが所定距離だけ搬送される。モータ７２の回転量は、駆動制御部７０が送信するパルス数によって決まる。駆動制御部７０の送信パルス数と、駆動部７によって搬送方向ＦＤに搬送される原稿ＧＳの搬送量との関係は、予め決められている。駆動制御部７０の送信パルス数から搬送方向ＦＤに搬送される原稿ＧＳの搬送量を算出するためのデータがＲＯＭ９１に記憶されている。
【００４２】
第１通信部１５は、ＰＣ（パーソナルコンピュータ）１００との間で、ＬＡＮ（ローカル・エリア・ネットワーク）等の通信網で通信を行うとともにサーバ等の外部装置との間でインターネットやＷＡＮ（ワールド・エリア・ネットワーク）等の通信網で通信を行うための回路等を備える。なお、第１通信部１５は、外部装置との間で直接通信を行うためのインターフェース（例えばＵＳＢインターフェース）で構成されてもよい。また、第１通信部１５は、ＰＣ１００との間で無線通信を行う回路等を備えてもよい。
【００４３】
＜第１サーバ３００および第２サーバ４００の電気的構成＞
本実施形態においては、第１サーバ（Ｓｅｒｖｅｒ１）３００、第２サーバ（Ｓｅｒｖｅｒ２）４００が設けられている。両サーバは、大容量の記憶容量を備えるサーバである。本実施形態では、第１サーバ３００および第２サーバ４００は、インターネットやＷＡＮ等の広い範囲の通信網である広域通信網６００で通信する。スキャナ装置１は、第１通信部１５によって、第１サーバ３００および第２サーバ４００と通信する。
【００４４】
＜ＰＣ１００の電気的構成＞
本実施形態においてはＰＣ１００が設けられている。ＰＣ１００は、図３に示すように、第２ＣＰＵ１０１、ＨＤＤ１０２、第２ＲＡＭ１０３、第２通信部１０４、第２操作部１０５、および第２表示部１０６を構成の一部として備える。これらの構成要素は、バス１１０を介して接続される。
【００４５】
第２ＣＰＵ１０１は、ＨＤＤ１０２に記憶された制御プログラムに従って、ＰＣ１００の各部の制御を行う。ＨＤＤ１０２は、オペレーティングシステム、アプリケーションソフト、およびスキャン管理プログラム等の各種プログラムを記憶する。
【００４６】
第２ＲＡＭ１０３は、各種制御プログラムが読み出されたときに記憶される作業領域、第２ＣＰＵ１０１の制御処理によって算出された算出結果、および複合機１から送信された画像データを一時的に記憶する記憶領域として利用される。
【００４７】
第２通信部１０４は、スキャナ装置１との間で、ＬＡＮ等の通信網で通信を行うための回路等を備える。本実施形態では、スキャナ装置１およびＰＣ１００は、第１通信部１５および第２通信部１０４によって、ＬＡＮ等の限定された範囲の通信網である狭域通信網５００内で通信する。  第２操作部１０５は、例えば、キーボード等であり、ユーザからの操作指示等を受け付ける。
【００４８】
第２表示部１０６は、例えば、ＬＣＤ等であり、ＰＣ１００の状況を表示する。
【００４９】
＜第１実施形態の動作＞
本実施形態におけるスキャナ装置１は、第１操作部５から読取開始指示を受け付けることなく、契約書（Ａ４サイズ）の搬送を開始して、契約書の画像を読み取る自動読取モードで使われる。自動読取モードで読み取られた契約書の読取画像は、自動読取設定の送信先名称４１（Ｓｅｒｖｅｒ１）に従って、契約書の画像送信先（第１サーバ３００）へ送信される。自動読取設定がなされている場合に、ユーザが、契約書以外の名刺（名刺サイズ）の読取画像を自動読取設定の送信先名称４１に対応する画像送信先（第１サーバ３００）とは異なる画像送信先（ＰＣ１００）へ送信する場合を例に挙げて説明する。
【００５０】
スキャナ装置１は、原稿ＧＳの読み取り前に実行されるメイン処理と、原稿ＧＳを読み取る自動原稿搬送読取処理とを主に実行する。図９に示すメイン処理中のＳ１〜Ｓ７の処理、図１０に示す自動原稿搬送読取処理中のＳ１００〜Ｓ１１９の処理、および図１１に示すサブルーチン処理は、第１ＣＰＵ９０が実行する処理である。
【００５１】
（事前登録処理）
本実施形態において、メイン処理が実行される前に、スキャナ装置１およびＰＣ１００は、事前登録処理を実行する。事前登録処理において、図６（Ａ）に示す画像送信先設定および自動読取設定に関するデータがＰＣ１００からスキャナ装置１へ送信される。事前登録処理において、スキャナ装置１は、上記データを受信し、受信したデータをＥＥＰＲＯＭ９３に記憶する。
【００５２】
具体的には、ＰＣ１００とスキャナ装置１とが接続された状態で、第２操作部１０５によって、ＰＣ１００においてインターネットエクスプローラ等のブラウザのアプリケーションソフトが起動される。起動されたブラウザで、第２操作部１０５によって、スキャナ装置１のＩＰアドレスおよびログインパスワードが入力されると、図５に示す自動読取設定の登録画面が第２表示部１０６に表示される。自動読取設定（自動Ｓｃａｎ設定）の登録画面では、図５に示すように、自動読取設定の各設定項目である送信種別、送信先名称、解像度（３００ｄｐｉ等）、ファイル形式（ＰＤＦ等）、および読取範囲である原稿サイズ（Ａ４等）の設定内容が、それぞれ選択可能である。図５に示す自動読取設定の登録画面で選択可能な送信先名称は、自動読取設定の登録画面上のＳｃａｎＴｏＮＷ設定タブが選択されて表示される設定画面（図示は省略）で設定可能である。設定画面上で、図６（Ａ）に示す画像送信先設定の送信種別、送信先名称、および送信先アドレスが設定される。図５に示す自動読取設定の登録画面上で図示しない確定キーが押下されると、上記画像送信先設定および図５に示す自動読取設定に関するデータがＰＣ１００からスキャナ装置１へ送信される。スキャナ装置１は、受信したデータをＥＥＰＲＯＭ９３に記憶する。本実施形態においては、上述した事前登録処理によって、図６（Ａ）に示す画像送信先設定および自動読取設定に関するデータが、ＥＥＰＲＯＭ９３に記憶されているものとする。
【００５３】
（メイン処理）
図９に示すメイン処理は、スキャナ装置１に電源が投入された後、開始される。第１ＣＰＵ９０は、第１通信部１５によって、自動読取モードでの実行開始を示すデータを、ＰＣ１００から受信したか否かを判断する（Ｓ１）。ＰＣ１００から受信しなかったと判断した場合（Ｓ１：ＮＯ）、第１ＣＰＵ９０は、Ｓ１の判断処理を繰り返す。ＰＣ１００から受信したと判断した場合（Ｓ１：ＹＥＳ）、第１ＣＰＵ９０は、ＥＥＰＲＯＭ９３に記憶された図６（Ａ）に示す画像送信先設定および自動読取設定に関するデータを第１ＲＡＭ９２に記憶する（Ｓ２）。第１ＣＰＵ９０は、図８（Ａ）に示すように、第１ＲＡＭ９２に記憶された自動読取設定の記憶内容を示す自動読取設定の待機画面を第１表示部６に表示する（Ｓ３）。具体的には、ＰＣ１００で起動したブラウザ上で、図５に示す自動読取設定の登録画面における自動Ｓｃａｎの設定内容ＯＮが選択され、図示しない確定キーが押下されるとする。上記確定キーが押下されると、自動Ｓｃａｎの設定内容ＯＮを示すデータが、自動読取モードでの実行開始を示すデータとして、ＰＣ１００から第１通信部１５によってスキャナ装置１へ送信される。第１ＣＰＵ９０は、自動読取モードでの実行開始を示すデータを受信したと判断する（Ｓ１：ＹＥＳ）。第１ＣＰＵ９０は、Ｓ２の処理を実行することにより、第１ＲＡＭ９２に記憶される図６（Ａ）に示す画像送信先設定および自動読取設定に関するデータのうち、送信先名称４１（Ｓｅｒｖｅｒ１）を示すデータは、第１ＲＡＭ９２の第１記憶領域５１に記憶される。図６（Ａ）に示す画像送信先設定の送信先アドレス４０（Ｓｅｒｖｅｒ１  ＩＰアドレス、Ｓｅｒｖｅｒ２  ＩＰアドレス、ＰＣ  ＩＰアドレス）を示すデータが第１ＲＡＭ９２の第２記憶領域５０に記憶される。図６（Ａ）に示す自動読取設定の原稿サイズ４２（Ａ４）を示すデータが第１ＲＡＭ９２の第３記憶領域５２に記憶される。図８（Ａ）に示す自動読取設定の待機画面上に、第１ＲＡＭ９２に記憶された図６（Ａ）に示す自動読取設定の送信先名称４１（Ｓｅｒｖｅｒ１）、ファイル形式（ＰＤＦ  Ｍｕｌｔｉ  Ｐａｇｅ）、読取解像度（３００ｄｐｉ）、および原稿サイズ４２（Ａ４）を示すデータに対応する記憶内容が表示される。上記待機画面では、第１操作部５からの操作入力によって第１ＣＰＵ９０が検出する検出位置情報に対して、第１ＣＰＵ９０が実行する処理が対応付けられていない。すなわち、待機画面において第１操作部５からの操作入力があったとしても、第１ＣＰＵ９０は何ら特別の処理を実行しない。
【００５４】
第１ＣＰＵ９０は、原稿載置検知センサ２７によって、原稿ＧＳが原稿載置面２ａ上に検出されたか否かを判断する（Ｓ４）。原稿ＧＳが原稿載置面２ａ上に検出されなかったと判断した場合（Ｓ４：ＮＯ）、第１ＣＰＵ９０は、ＰＣ１００から図６（Ａ）に示す画像送信先設定および自動読取設定に関するデータを新たに受信したか否かを判断する（Ｓ６）。上記データを受信したと判断された場合（Ｓ６：ＹＥＳ）、第１ＣＰＵ９０は、ＥＥＰＲＯＭ９３および第１ＲＡＭ９２に記憶された上記データを、新たに受信した画像送信先設定および自動読取設定に関するデータに更新し（Ｓ７）、Ｓ３以降の処理を繰り返す。ＰＣ１００から受信した画像送信先設定および自動読取設定に関するデータは、前述の事前登録処理と同様の方法でＰＣ１００からスキャナ装置１へ送信される。上記データを受信しなかったと判断された場合（Ｓ６：ＮＯ）、第１ＣＰＵ９０は、Ｓ４以降の処理を繰り返す。原稿ＧＳが原稿載置面２ａ上に検出されたと判断した場合（Ｓ４：ＹＥＳ）、第１ＣＰＵ９０は、後述する自動原稿搬送読取処理（Ｓ５）を実行し、Ｓ３以降の処理を繰り返す。
【００５５】
（自動原稿搬送読取処理）
自動原稿搬送読取処理について図１０を参照して説明する。第１ＣＰＵ９０は、第１原稿幅検知センサ２８ａおよび第２原稿幅検知センサ２８ｂによって原稿ＧＳの有無を検出し、原稿サイズを検知する（Ｓ１００）。第１ＣＰＵ９０は、検知原稿サイズと、第１ＲＡＭ９２の第３記憶領域５２に記憶された自動読取設定の原稿サイズ４２とが一致するか否かを判断する（Ｓ１０１）。一致しないと判断した場合（Ｓ１０１：ＮＯ）、第１ＣＰＵ９０は、図６（Ｂ）に示すように、一時読取設定の項目である送信種別、送信先名称、解像度、ファイル形式、および原稿サイズ（読取範囲）を示すデータの初期データをそれぞれ第１ＲＡＭ９２に記憶する（Ｓ１０４）。第１ＣＰＵ９０は、第１表示部６に図８（Ｂ）に示す一時読取設定の送信種別設定画面を表示する（Ｓ１０５）。
【００５６】
具体的には、図２に示すように、原稿載置面２ａに名刺が載置され、かつ、自動読取設定の原稿サイズ４２がＡ４サイズである場合を例に挙げて説明する。原稿載置面２ａに名刺が載置されると、前述の通り、第１原稿幅検知センサ２８ａおよび第２原稿幅検知センサ２８ｂはオフとなる。第１ＣＰＵ９０は、ＲＯＭ９１に記憶された図４に示すテーブルに従って、原稿載置面２ａに載置された原稿ＧＳの原稿サイズを名刺サイズとして検知する（Ｓ１００）。第１ＣＰＵ９０は、検知原稿サイズである名刺サイズと、図６（Ａ）に示す第１ＲＡＭ９２の第３記憶領域５２に記憶された自動読取設定の原稿サイズ４２であるＡ４サイズとが一致しないと判断する（Ｓ１０１：ＮＯ）。第１ＣＰＵ９０は、第１ＲＡＭ９２に記憶された図６（Ａ）に示す自動読取設定の各記憶項目の記憶内容を示すデータと同じデータを一時読取設定の初期データとして第１ＲＡＭ９２に記憶する（Ｓ１０４）。第１ＣＰＵ９０は、ＲＯＭ９１に記憶された図７（Ａ）に示す表示情報である画像１〜画像３にそれぞれ対応する表示位置（Ｘ１，Ｙ１）〜（Ｘ３，Ｙ１）に従って、図７（Ａ）に示す画像１〜画像３を、図８（Ｂ）に示すように、送信種別設定画面の左上角を原点として送信種別設定画面にそれぞれ表示させる（Ｓ１０５）。
【００５７】
第１ＣＰＵ９０は、第１操作部５において押下されたキーおよびボタンの位置情報を検出したか否かを判断する（Ｓ１０６）。位置情報を検出しなかったと判断した場合（Ｓ１０６：ＮＯ）、第１ＣＰＵ９０は、Ｓ１０６の判断処理を繰り返す。位置情報を検出したと判断した場合（Ｓ１０６：ＹＥＳ）、第１ＣＰＵ９０は、図７（Ａ）に示す送信種別設定画面における検出位置情報１〜３のうちの検出された位置情報に対応する処理１〜３のうちの処理を実行することで、第１表示部６に送信先候補画面６０を表示する（Ｓ１０７）。
【００５８】
具体的には、第１ＣＰＵ９０は、Ｓ１０７の処理において、下記（１）〜（３）に示す処理を実行する。第１ＣＰＵ９０は、図７（Ａ）に示すテーブルにおける検出位置情報３を検出した場合を例に挙げて説明する。
【００５９】
（１）第１ＣＰＵ９０は、検出された位置情報に従って、図７（Ａ）に示すテーブルにおける検出位置情報３を検出し、処理３を実行する。
【００６０】
（２）第１ＣＰＵ９０は、処理３の実行により、図６（Ａ）に示すＲＡＭ９２の第７記憶領域５３に記憶された画像送信先設定の送信種別Ｓｃａｎ Ｔｏ Ｎｅｔｗｏｒｋに対応する画像送信先設定の送信先名称４３およびＲＯＭ９１に記憶されたプログラムに従って、上記送信先名称４３であるＳｅｒｖｅｒ１、Ｓｅｒｖｅｒ２、およびＰＣを示す画像４〜６の表示情報４６を図７（Ｂ）に示す第１ＲＡＭ９２の第６記憶領域５６にそれぞれ記憶する。
【００６１】
具体的には、上記送信先名称４３のうちのＳｅｒｖｅｒ１を示す画像４について説明する。第１ＣＰＵ９０は、第１表示部６に表示する図８（Ｃ）に示す送信先候補画面のうち、ＲＯＭ９１に記憶されたプログラムに従って、背景画像６４ａの表示情報を生成し、上記送信先名称４３のうちのＳｅｒｖｅｒ１を示すデータに対応する文字画像６４ｂの表示情報を生成して、背景画像６４ａおよび文字情報６４ｂを合わせた画像４（Ｓｅｒｖｅｒ１画像６４）の表示情報を第１ＲＡＭ９２の第６記憶領域５６に記憶する。第１ＣＰＵ９０は、上記と同様に、上記送信先名称４３のうちのＳｅｒｖｅｒ１およびＰＣを示す画像５（Ｓｅｒｖｅｒ２画像６５）および画像６（ＰＣ画像６２ａ）の表示情報を第１ＲＡＭ９２の第６記憶領域５６に記憶する。第１ＣＰＵ９０は、図７（Ｂ）に示す送信先候補画面６０における画像４〜６の表示情報４６にそれぞれ対応する表示位置、検出位置情報、および処理をＲＯＭ９１のプログラムに従って生成し、第１ＲＡＭ９２に記憶する。図６（Ａ）に示す画像送信先設定の送信先名称であるＳｅｒｖｅｒ１、Ｓｅｒｖｅｒ２、およびＰＣを示すデータは、図６（Ａ）に示す送信先アドレスであるＳｅｒｖｅｒ１  ＩＰアドレス、Ｓｅｒｖｅｒ２  ＩＰアドレス、およびＰＣ  ＩＰアドレスにそれぞれ対応する。第１ＣＰＵ９０は、ＲＯＭ９１に記憶されたプログラムに従って、図７（Ｂ）に示す画像７、画像７に対応する表示位置、検出位置情報７、および処理７を生成し、図７（Ｂ）に示すテーブルとして第１ＲＡＭ９２に記憶する。
【００６２】
（３）第１ＣＰＵ９０は、図７（Ｂ）に示す表示情報である画像４〜画像７に対応する表示位置（Ｘ４，Ｙ２）、（Ｘ４，Ｙ３）、（Ｘ４，Ｙ４）、および（Ｘ５，Ｙ４）に従って、送信先候補画面６０を第１表示部６に表示する。送信先候補画面６０は、図８（Ｃ）に示すように、画像４（Ｓｅｒｖｅｒ１画像６４）、画像５（Ｓｅｒｖｅｒ２画像６５）、画像６（ＰＣ画像６２ａ）、および画像７（ＯＫ画像６３）を上記表示位置にそれぞれ表示する。
【００６３】
第１ＣＰＵ９０は、第１操作部５において押下されたキーおよびボタンの位置情報を検出したか否かを判断する（Ｓ１０８）。位置情報を検出しなかったと判断した場合（Ｓ１０８：ＮＯ）、第１ＣＰＵ９０は、Ｓ１０８の判断処理を繰り返す。位置情報を検出したと判断した場合（Ｓ１０８：ＹＥＳ）、第１ＣＰＵ９０は、検出された位置情報が、一時読取設定の設定確定指示に対応する位置情報であるか否かを判断する（Ｓ１０９）。上記設定確定指示に対応する位置情報ではないと判断した場合（Ｓ１０９：ＮＯ）、第１ＣＰＵ９０は、検出した位置情報および図７（Ｂ）に示すテーブルに従って、画像４〜画像７に対応する４つの表示画像の各表示画像に対応する処理を実行し、第１表示部６に表示する画面表示を変更する（Ｓ１１８）。画面表示の変更後、第１ＣＰＵ９０は、Ｓ１０８以降の処理を繰り返す。上記設定確定指示に対応する位置情報であると判断した場合（Ｓ１０９：ＹＥＳ）、第１ＣＰＵ９０は、原稿ＧＳの画像送信先を決定する（Ｓ１１０）。第１ＣＰＵ９０は、決定した画像送信先を示す送信先名称を一時読取設定の送信先名称４７として第１ＲＡＭ９２の第５記憶領域５７に記憶する（Ｓ１１１）。
【００６４】
具体的には、一時読取設定の送信先名称４７に対応する画像送信先としてＰＣ１００を設定する場合を例に挙げて説明する。第１表示部６に図８（Ｃ）に示す送信先候補画面６０が表示されている場合に、第１操作部５によって十字キーの下キーの２回押下の操作入力がされると、ＰＣ画像６２ａが選択される。第１ＣＰＵ９０は、上記送信先候補画面６０における第１操作部５からの上記操作入力によって、図７（Ｂ）に示す画像６（ＰＣ画像）に対応する検出位置情報６を検出したと判断し（Ｓ１０８：ＹＥＳ）、第１ＣＰＵ９０は、一時読取設定の設定確定指示に対応する位置情報を検出しなかったと判断する（Ｓ１０９：ＮＯ）。第１ＣＰＵ９０は、図７（Ｂ）に示す処理６の実行によって、灰色の背景色の画像６（ＰＣ画像６２ａ）を表示する図８（Ｃ）に示す送信先候補画面６０を、図８（Ｄ）に示す青色の背景色の画像６（ＰＣ画像６２ｂ）を表示する送信先候補画面６１に変更して表示する（Ｓ１１８）。第１表示部６に図８（Ｄ）に示す送信先候補画面６１が表示されている場合に、第１操作部５によって十字キーの右キーの押下および確定キーの押下の操作入力がされると、図８（Ｄ）に示すＯＫ画像６３が選択され、設定確定指示が入力される。第１ＣＰＵ９０は、上記送信先候補画面６１における第１操作部５からの上記操作入力によって、図７（Ｂ）に示す画像７（ＯＫ画像）に対応する検出位置情報７を検出したと判断し（Ｓ１０８：ＹＥＳ）、第１ＣＰＵ９０は、一時読取設定の設定確定指示に対応する位置情報を検出したと判断する（Ｓ１０９：ＹＥＳ）。第１ＣＰＵ９０は、図７（Ｂ）に示す処理７の実行によって、上記青色の背景色に変更されたＰＣ画像６２ｂに対応する画像送信先であるＰＣ１００を名刺の画像送信先として決定する（Ｓ１１０）。第１ＣＰＵ９０は、決定した名刺の画像送信先であるＰＣ１００を示すデータを一時読取設定の送信先名称４７として第１ＲＡＭ９２の第５記憶領域５７に記憶する（Ｓ１１１）。Ｓ１１１の処理によって、第１ＲＡＭ９２に記憶された一時読取設定に関するデータは、図６（Ｂ）に示すテーブルとなる。
【００６５】
第１ＣＰＵ９０は、第１表示部６に図８（Ｅ）に示す一時読取設定の設定状態画面を表示する（Ｓ１１２）。具体的には、第１ＣＰＵ９０は、ＲＯＭ９１に記憶された図７（Ｃ）の設定状態画面における表示情報、表示位置、検出位置情報、および処理を示すデータを、それぞれ第１ＲＡＭ９２に記憶された図７（Ｂ）に示すテーブルに追加して図７（Ｃ）に示すテーブルとして第１ＲＡＭ９２に記憶する。第１ＣＰＵ９０は、図７（Ｃ）に示すテーブルにおける画像８および画像９に対応する表示位置（Ｘ６，Ｙ５）および（Ｘ７，Ｙ５）に従って、図８（Ｅ）に示すように、画像８（Ｏｐｔｉｏｎｓ画像６６）および画像９（Ｓｔａｒｔ画像６７）を表示した設定状態画面を第１表示部６に表示する。第１ＣＰＵ９０は、第１ＲＡＭ９２に記憶された図６（Ｂ）に示す一時読取設定の各記憶項目の記憶内容を示すデータに従って、図８（Ｅ）に示すように、上記設定状態画面上に上記各記憶項目の記憶内容を示す画像をそれぞれ表示する。
【００６６】
第１ＣＰＵ９０は、第１操作部５において押下されたキーおよびボタンの位置情報を読取開始指示に対応する位置情報として検出したか否かを判断する（Ｓ１１３）。読取開始指示に対応する位置情報として検出しなかったと判断した場合（Ｓ１１３：ＮＯ）、第１ＣＰＵ９０は、検出された位置情報が設定変更指示に対応する位置情報であるか否かを判断する（Ｓ１１９）。検出された位置情報が設定変更指示に対応する位置情報ではないと判断した場合（Ｓ１１９：ＮＯ）、第１ＣＰＵ９０は、Ｓ１１３の処理を繰り返す。検出された位置情報が設定変更指示に対応する位置情報であると判断した場合（Ｓ１１９：ＹＥＳ）、第１ＣＰＵ９０は、Ｓ１０９以降の処理を繰り返す。
【００６７】
具体的には、第１表示部６に図８（Ｅ）に示す上記設定状態画面が表示された後、一時読取設定の原稿サイズをＡ４サイズから名刺サイズ（Ｂｕｓｉｎｅｓｓ Ｃａｒｄ）へ変更する場合を例に挙げて説明する。第１表示部６に図８（Ｅ）に示す上記設定状態画面が表示されている場合に、第１操作部５によって確定キーの押下の操作入力がされると、上記設定状態画面のＯｐｔｉｏｎｓ画像６６が選択される。第１ＣＰＵ９０は、第１操作部５からの上記操作入力によって、図７（Ｃ）に示す画像８（Ｏｐｔｉｏｎｓ画像）に対応する検出位置情報８を検出し、検出した検出位置情報８は、読取開始指示に対応する位置情報ではないと判断する（Ｓ１１３：ＮＯ）。第１ＣＰＵ９０は、検出した位置情報８が設定変更指示に対応する位置情報であると判断し（Ｓ１１９：ＹＥＳ）、設定確定指示に対応する位置情報ではないと判断する（Ｓ１０９：ＮＯ）。第１ＣＰＵ９０は、図７（Ｃ）に示す処理８の実行によって、図８（Ｅ）に示す一時読取設定の設定状態画面から図８（Ｆ）に示す画面へ第１表示部６の表示を変更する（Ｓ１１８）。第１表示部６に図８（Ｆ）に示す画面が表示されている場合に、第１操作部５によって確定キーの押下、および十字キーの下キーの２回押下の操作入力がなされると、図８（Ｇ）に示す画面のＢｕｓｉｎｅｓｓ Ｃａｒｄ画像６８が選択される。第１ＣＰＵ９０が、第１表示部６に表示する画面を、図８（Ｆ）から図８（Ｇ）に示す画面へ変更するまでに実行する処理は、前述の図８（Ｂ）から図８（Ｃ）を経由して図８（Ｄ）へ変更するまでの処理と同様に、Ｓ１０８、Ｓ１０９、およびＳ１１８の処理である。第１表示部６に表示する画面が図８（Ｆ）から図８（Ｇ）へ変更されるまでに、第１ＣＰＵ９０が実行する処理についての説明は省略する。第１表示部６に図８（Ｇ）に示す画面が表示されている場合に、第１操作部５によって十字キーの右キーの押下および確定キーの押下の操作入力がされると、ＯＫ画像６３が選択され、設定確定指示が入力される。第１ＣＰＵ９０は、図８（Ｄ）に示す画面においてＯＫ画像６３に対応する検出位置情報７を検出した場合と同様に、第１操作部５からの上記操作入力によって、図８（Ｇ）に示す画面におけるＯＫ画像６３に対応する位置情報を検出したと判断する（Ｓ１０８：ＹＥＳ）。第１ＣＰＵ９０は、一時読取設定の設定確定指示に対応する位置情報を検出したと判断する（Ｓ１０９：ＹＥＳ）。第１ＣＰＵ９０は、図８（Ｄ）に示す画面においてＯＫ画像６３に対応する処理７を実行した場合と同様に、図８（Ｇ）に示す画面におけるＯＫ画像６３に対応する処理を実行する。第１ＣＰＵ９０は、図８（Ｇ）に示す画面におけるＯＫ画像６３に対応する処理の実行によって、図８（Ｇ）に示す青色の背景色に変更されたＢｕｓｉｎｅｓｓ Ｃａｒｄ画像６８に対応する原稿サイズの設定内容であるＢｕｓｉｎｅｓｓ Ｃａｒｄ（名刺サイズ）を示すデータを一時読取設定の原稿サイズを示すデータとして第１ＲＡＭ９２に記憶する（Ｓ１１１）。Ｓ１１１の処理によって、一時読取設定を示すデータとしては、第１ＲＡＭ９２に記憶された図６（Ｂ）に示すテーブルが、図６（Ｃ）の一時読取設定を示すテーブルに更新される。
【００６８】
第１ＣＰＵ９０は、読取開始指示に対応する位置情報として検出されたと判断した場合（Ｓ１１３：ＹＥＳ）、第１ＲＡＭ９２に記憶された一時読取設定の解像度および原稿サイズ（読取範囲）で後述する原稿搬送読取処理（Ｓ１１４）を実行する。具体的には、第１表示部６に図８（Ｈ）に示す画面が表示されている場合に、第１操作部５によって十字キーの右キーの２回押下、および確定キーの押下の操作入力がなされると、図８（Ｈ）に示す画面のＳｔａｒｔ画像６７が選択される。第１ＣＰＵ９０は、第１操作部５からの上記操作入力によって、図７（Ｃ）に示す画像９（Ｏｐｔｉｏｎｓ画像）に対応する位置情報９を検出し、処理９の実行により、読取開始指示に対応する位置情報であると判断し、後述するＳ１１４の処理を実行する。
【００６９】
第１ＣＰＵ９０は、後述する原稿搬送読取処理（Ｓ１１４）によって第１ＲＡＭ９２に記憶された名刺の読取画像データを、第１通信部１５によって、一時読取設定の送信先名称４７に従って、名刺の画像送信先へ送信する（Ｓ１１５）。第１ＣＰＵ９０は、第１通信部１５によって、読取画像の画像送信先から送信終了を示す信号を受信したか否かを判断する（Ｓ１１６）。読取画像の画像送信先から送信終了を示す信号を受信しなかったと判断した場合（Ｓ１１６：ＮＯ）、第１ＣＰＵ９０は、Ｓ１１６の判断処理を繰り返す。読取画像の画像送信先から送信終了を示す信号を受信したと判断した場合（Ｓ１１６：ＹＥＳ）、第１ＣＰＵ９０は、第１ＲＡＭ９２に記憶された一時読取設定の各記憶項目の記憶内容を示す全てのデータを消去する（Ｓ１１７）。
【００７０】
具体的には、後述する原稿搬送読取処理で第１ＲＡＭ９２に記憶された名刺の読取画像データを、Ｓ１１０の処理で決定した名刺の画像送信先であるＰＣ１００へ送信する場合を例に挙げて説明する。第１ＣＰＵ９０は、Ｓ１１５の処理において、下記（１）〜（３）に示す処理を実行する。
【００７１】
（１）第１ＣＰＵ９０は、第１ＲＡＭ９２に記憶された図６（Ｃ）に示す一時読取設定の送信先名称４７であるＰＣを示すデータを第１ＲＡＭ９２の第５記憶領域５７から読み出す。
【００７２】
（２）第１ＣＰＵ９０は、読み出した一時読取設定の送信先名称４７であるＰＣに対応する送信先アドレスであるＰＣのＩＰアドレス（ＰＣ１００のＩＰアドレス）を示すデータを第１ＲＡＭ９２の第２記憶領域５０から読み出す。
【００７３】
（３）第１ＣＰＵ９０は、第１通信部１５によって、第１ＲＡＭ９２に記憶された名刺の読取画像データを、ＰＣのＩＰアドレスに対応する名刺の画像送信先（ＰＣ１００）へ送信する。
【００７４】
ＰＣ１００から送信終了を示す信号を受信したと判断した場合（Ｓ１１６：ＹＥＳ）、第１ＣＰＵ９０は、第１ＲＡＭ９２に記憶された図６（Ｃ）に示すテーブルのうち、一時読取設定の各記憶項目の記憶内容を示す全てのデータを消去する（Ｓ１１７）。Ｓ１１７の処理により、第１ＲＡＭ９２に記憶された図６（Ｃ）に示すテーブルは、図６（Ａ）に示すテーブルに更新される。
【００７５】
第１ＣＰＵ９０は、検知原稿サイズと、第１ＲＡＭ９２に記憶された自動読取設定の原稿サイズ４２とが一致すると判断した場合（Ｓ１０１：ＹＥＳ）、第１ＲＡＭ９２に記憶された自動読取設定の解像度および原稿サイズ４２（読取範囲）で後述する原稿搬送読取処理（Ｓ１０２）を実行する。
【００７６】
具体的には、後述する原稿搬送読取処理で読み取られた読取画像を自動読取設定の送信先名称４１に対応する画像送信先であるＳｅｒｖｅｒ１へ送信する場合を例に挙げて説明する。第１ＣＰＵ９０は、Ｓ１０３の処理において、下記（１）〜（３）に示す処理を実行する。
【００７７】
（１）第１ＣＰＵ９０は、第１ＲＡＭ９２に記憶された図６（Ａ）に示す自動読取設定の送信先名称４１であるＳｅｒｖｅｒ１を示すデータを第１ＲＡＭ９２の第１記憶領域５１から読み出す。
【００７８】
（２）第１ＣＰＵ９０は、読み出した自動読取設定の送信先名称４１であるＳｅｒｖｅｒ１に対応する送信先アドレスであるＳｅｒｖｅｒ１アドレスを示すデータを第１ＲＡＭ９２の第２記憶領域５０から読み出す。
【００７９】
（３）第１ＣＰＵ９０は、第１通信部１５によって、第１ＲＡＭ９２に記憶された契約書の読取画像データを、Ｓｅｒｖｅｒ１アドレス（Ｓｅｒｖｅｒ１のＩＰアドレス）に対応する契約書の画像送信先（Ｓｅｒｖｅｒ１）へ送信する（Ｓ１０３）。
【００８０】
（原稿搬送読取処理）
原稿搬送読取処理について図１１を参照して説明する。第１ＣＰＵ９０は、駆動制御部７０に駆動指令の送信を開始し、駆動部７によって原稿載置面２ａに載置された原稿ＧＳの搬送を開始する（Ｓ２００）。第１ＣＰＵ９０が駆動制御部７０に送信する駆動指令には、第１ＲＡＭ９２に記憶された自動読取設定または一時読取設定における解像度に対応する回転速度の指令が含まれる。第１ＣＰＵ９０は、原稿搬送検知センサ２９がオンであるか否かを判断する（Ｓ２０１）。原稿搬送検知センサ２９がオンではないと判断した場合（Ｓ２０１：ＮＯ）、第１ＣＰＵ９０はＳ２０１の判断処理を繰り返す。原稿搬送検知センサ２９がオンであると判断した場合（Ｓ２０１：ＹＥＳ）、第１ＣＰＵ９０は、カウンタ９５によって、原稿ＧＳの先端が図２に示す検出位置Ｄ２から読取位置Ｄ３へ搬送されるまでの搬送量に対応する送信パルス数をカウントした後、読取部２４によって画像の読取を開始する（Ｓ２０２）。第１ＣＰＵ９０は、読取部２４によって１ライン毎に読み取られた画像データのうち、第１ＲＡＭ９２に記憶された自動読取設定または一時読取設定における原稿サイズの短辺幅に相当する主走査方向ＭＤの幅分の画像データを第１ＲＡＭ９２に記憶する。第１ＣＰＵ９０は、カウンタ９５によって、原稿ＧＳの先端が図２に示す読取位置Ｄ３から搬送方向ＦＤに原稿サイズ長の分だけ搬送されるまでの搬送量に対応する送信パルス数をカウントしたか否かを判断する（Ｓ２０３）。上記原稿サイズ長は、第１ＲＡＭ９２に記憶された自動読取設定または一時読取設定における原稿サイズの長辺の幅である。上記送信パルス数をカウントしなかったと判断した場合（Ｓ２０３：ＮＯ）、第１ＣＰＵ９０は、Ｓ２０３の判断処理を繰り返す。上記送信パルス数をカウントしたと判断した場合（Ｓ２０３：ＹＥＳ）、第１ＣＰＵ９０は、読取部２４による画像の読取を終了する（Ｓ２０４）。
【００８１】
第１ＣＰＵ９０は、読取部２４によって読み取られた画像を出力ファイル形式に対応する画像データとして第１ＲＡＭ９２に記憶する（Ｓ２０５）。第１ＣＰＵ９０は、原稿搬送検知センサ２９がオフであるか否かを判断する（Ｓ２０６）。原稿搬送検知センサ２９がオフではないと判断した場合（Ｓ２０６：ＮＯ）、第１ＣＰＵ９０は、Ｓ２０６の判断処理を繰り返す。原稿搬送検知センサ２９がオフであると判断した場合（Ｓ２０６：ＹＥＳ）、第１ＣＰＵ９０は、原稿載置検知センサ２７がオンであるか否かを判断する（Ｓ２０７）。原稿載置検知センサ２７がオンであると判断した場合（Ｓ２０７：ＹＥＳ）、第１ＣＰＵ９０は、Ｓ２０１以降の処理を繰り返す。原稿載置検知センサ２７がオンではないと判断した場合（Ｓ２０７：ＮＯ）、第１ＣＰＵ９０は、駆動制御部７０への駆動指令の送信を終了し、駆動部７による搬送動作を終了する（Ｓ２０８）。
【００８２】
具体的には、図６（Ｃ）に示す一時読取設定で名刺の画像を読み取り、名刺の読取画像データを、一時読取設定の出力ファイル形式に対応する画像データで第１ＲＡＭ９２に記憶する場合を例に挙げて説明する。第１ＣＰＵ９０は、駆動制御部７０に図６（Ｃ）に示す一時読取設定における解像度である３００ｄｐｉに対応する回転速度の指令を含む駆動指令の送信を開始し、原稿載置面２ａに載置された名刺の搬送を開始する（Ｓ２００）。第１ＣＰＵ９０は、読取部２４による名刺の画像の読取を開始する（Ｓ２０２）。図６（Ｃ）に示す一時読取設定における原稿サイズであるＢｕｓｉｎｅｓｓ Ｃａｒｄ（名刺サイズ）（約５５ｍｍ×９１ｍｍ）の短辺の幅は、約５５ｍｍである。第１ＣＰＵ９０は、読取部２４によって解像度３００ｄｐｉで１ライン毎に読み取られた画像データのうち、名刺サイズの短辺幅５５ｍｍに相当する主走査方向ＭＤの６５０画素分の画像データを第１ＲＡＭ９２に記憶する。第１ＣＰＵ９０は、カウンタ９５によって、名刺の先端が図２に示す読取位置Ｄ３から搬送方向ＦＤに図６（Ｃ）に示す一時読取設定における原稿サイズの長辺の幅の分だけ搬送されるまでの搬送量に対応する送信パルス数をカウントしたか否かを判断する（Ｓ２０３）。図６（Ｃ）に示す一時読取設定における原稿サイズであるＢｕｓｉｎｅｓｓ Ｃａｒｄ（名刺サイズ）（約５５ｍｍ×９１ｍｍ）の長辺の幅は、約９１ｍｍである。第１ＣＰＵ９０は、Ｓ２０３の処理において、カウンタ９５によって、駆動部７によって搬送される名刺の先端が図２に示す読取位置Ｄ３から搬送方向ＦＤに名刺サイズの長辺の幅（約９１ｍｍ）の分だけ搬送されるまでの搬送量に対応する送信パルス数をカウントしたか否かで判断する。第１ＣＰＵ９０は、上記送信パルス数をカウントしたと判断し（Ｓ２０３：ＹＥＳ）、読取部２４による画像の読取を終了する（Ｓ２０４）。第１ＣＰＵ９０は、読取部２４によって読み取られた名刺の画像データを図６（Ｃ）に示す一時読取設定における出力ファイル形式であるＰＤＦ Ｍｕｌｔｉ Ｐａｇｅに対応する画像データとして第１ＲＡＭ９２に記憶する（Ｓ２０５）。第１ＣＰＵ９０は、Ｓ２０５の処理において、下記（１）〜（３）の処理を実行し、名刺１枚分の読取画像を、出力ファイル形式の１頁分の画像データとして第１ＲＡＭ９２に記憶する。
【００８３】
（１）第１ＣＰＵ９０は、ＰＤＦのヘッダを示すデータを第１ＲＡＭ９２に記憶する。
【００８４】
（２）第１ＣＰＵ９０は、上記ＰＤＦのヘッダを示すデータに続けて読取部２４によって読み取られた名刺１頁分の画像データを第１ＲＡＭ９２に記憶する。
【００８５】
（３）第１ＣＰＵ９０は、上記名刺１頁分の画像データに続けて、ＰＤＦのへッダを示すデータを第１ＲＡＭ９２に記憶する。
【００８６】
第１ＣＰＵ９０は、原稿搬送検知センサ２９がオフであると判断し（Ｓ２０６：ＹＥＳ）、原稿載置検知センサ２７がオンではないと判断する（Ｓ２０７：ＮＯ）。第１ＣＰＵ９０は、駆動制御部７０への駆動指令の送信を終了し、駆動部７による搬送動作を終了する（Ｓ２０８）。
【００８７】
［作用効果］
本第１実施形態におけるスキャナ装置１は、原稿を支持する原稿トレイ２と、原稿トレイ２に支持される原稿の有無を検出する原稿載置検知センサ２７と、原稿トレイ２に支持される原稿を搬送する搬送部７と、搬送部７によって搬送される原稿の画像を読み取る読取部２４と、契約書等の特定原稿の画像送信先に対応する送信先情報を記憶する第１ＲＡＭ９２と、搬送部７、読取部２４、および原稿の画像データの送信を制御する第１ＣＰＵ９０と、を備えている。第１ＣＰＵ９０は、Ｓ１０１の処理によって、検知原稿サイズと、第１ＲＡＭ９２の第３記憶領域５２に記憶された自動読取設定の原稿サイズ４２とが一致しないと判断した場合（Ｓ１０１：ＮＯ）、Ｓ１０７〜Ｓ１０９、およびＳ１１８の処理において、広域通信網６００で通信する第１サーバ３００および広域通信網６００より通信範囲が限定される狭域通信網５００で通信するＰＣ１００を含む送信先を示す送信先候補画面６０を第１表示部６に表示する。第１ＣＰＵ９０は、Ｓ１１１の処理によって、画像送信先を決定し、Ｓ１１５の処理によって、契約書等の特定原稿以外の名刺等の原稿の読取画像データを、決定された画像送信先へ送信する。これにより、ユーザは、特定原稿以外の原稿の読取画像データを、スキャナ装置１から移動が容易である距離範囲に配置される身近なＰＣ１００へ送信可能となり、特定原稿以外の原稿の読取画像データを管理し易くなる。
【００８８】
［第２実施形態］
本発明の第２実施形態におけるスキャナ装置１について、図面を参照して説明する。本第２実施形態におけるスキャナ装置１は、契約書の画像と、原稿ＧＳの読取画像とが類似しているか否かを判断する。類似していないと判断した場合、本第２実施形態におけるスキャナ装置１は、自動読取設定の画像送信先とは異なる送信先へ設定するため、送信種別設定画面を表示する。本第２実施形態における第１ＣＰＵ９０は、図３に示す画像処理部９４によって、原稿ＧＳの読取画像と、特定原稿の画像とが一致しているか否かを判断する画像判断処理を実行する。画像判断処理については、特開２００９−１７５２５号公報に記載された方法で、原稿ＧＳの読取画像の特徴量を算出し、読取画像の特徴量と契約書の画像の特徴量とに従って、読取画像と契約書画像とが一致しているか否かを判断する。本第２実施形態は、本第１実施形態と同様に、自動読取設定がなされている場合に、ユーザが、契約書以外の名刺の読取画像を自動読取設定の画像送信先とは異なる送信先（ＰＣ１００）へ送信する場合を例に挙げて説明する。以下の説明では、本第１実施形態と同一の内容については重複した記載を省略する。
【００８９】
（事前登録処理）
本第２実施形態における自動読取設定の登録画面では、図１２に示すように、自動読取設定の各設定項目である送信種別、送信先名称、解像度（３００ｄｐｉ等）、画像出力ファイル形式（ＰＤＦ等）に加えて、原稿種類（特定原稿１等）の設定内容が、それぞれ選択可能である。原稿種類の設定内容は、本第２実施形態におけるスキャナ装置１の第１ＲＡＭ９２に記憶された特定原稿の画像毎に特定原稿の選択が可能である。具体的に説明すると、本第２実施形態におけるスキャナ装置１は、メイン処理を実行する前に、実行される事前登録処理において、読取部２４によって特定原稿として登録対象の原稿の画像を読み取る。画像処理部９４によって、特開２００９−１７５２５号公報に記載された方法で、上記登録対象の原稿画像の特徴量を算出し、特定原稿１画像の特徴量として第１ＲＡＭ９２に記憶する。スキャナ装置１は、画像処理部９４によって、複数の原稿の各原稿を特定原稿として、その各原稿の特徴量をそれぞれ算出し、第１ＲＡＭ９２に記憶する。原稿が３種類の場合には、上記特定原稿１に続いて、特定原稿２画像の特徴量および特定原稿３画像の特徴量が第１ＲＡＭ９２にそれぞれ記憶される。本第２実施形態では、図１３（Ａ）に示すように、特定原稿画像の特徴量４５が、第４記憶領域５５に記憶される。特定原稿画像の特徴量４５には、契約書の読取画像および契約書以外の読取画像の特徴量がある。本第２実施形態では、契約書の読取画像の特徴量が、特定原稿１画像の特徴量として第１ＲＡＭ９２の第４記憶領域５５に記憶される。契約書以外の原稿を特定原稿２および特定原稿３として、特定原稿２画像および特定原稿３画像の特徴量が、同様に、それぞれ第１ＲＡＭ９２の第４記憶領域５５に記憶される。図１２に示す自動読取設定の登録画面における原稿種類の設定内容は、第１ＲＡＭ９２に記憶された特定原稿１〜特定原稿３の特徴量に対応する特定原稿１〜特定原稿３が選択可能である。自動読取設定の登録画面で図示しない確定キーが押下されると、画像送信先および自動読取設定の設定内容を示すデータがＰＣ１００からスキャナ装置１へ送信される。スキャナ装置１は、受信したデータをＥＥＰＲＯＭ９３に記憶する。本第２実施形態におけるスキャナ装置１は、事前登録処理によって、図１３（Ａ）に示す画像送信先および自動読取設定の設定内容を示すデータが、ＥＥＰＲＯＭ９３に記憶され、特定原稿画像の設定内容を示すデータが、第１ＲＡＭ９２に記憶されているものとする。
【００９０】
（自動原稿搬送読取処理）
本第２実施形態における自動原稿搬送読取処理について図１４を参照して説明する。スキャナ装置１における第１ＣＰＵ９０は、一時読取設定フラグをオフとして第１ＲＡＭ９２に記憶する（Ｓ３００）。第１ＣＰＵ９０は、原稿搬送読取処理の実行後（Ｓ１０２）、画像処理部９４によって、読取画像と特定原稿画像とが一致しているか否かを判断する画像判断処理を実行する（Ｓ３０１）。具体的には、第１ＣＰＵ９０は、画像処理部９４によって、名刺の読取画像の特徴量を算出する。第１ＣＰＵ９０は、特開２００９−１７５２５号公報に記載された方法で、名刺の読取画像の特徴量と、第１ＲＡＭ９２の第４記憶領域５５に記憶された特定原稿１画像（契約書画像）の特徴量とに従って、名刺の読取画像と特定原稿画像とが一致しているか否かを判断する。読取画像と特定原稿画像とが一致すると判断した場合（Ｓ３０１：ＹＥＳ）、第１ＣＰＵ９０は、前述のＳ１０３の処理を実行する。読取画像と特定原稿画像とが一致しないと判断した場合（Ｓ３０１：ＮＯ）、第１ＣＰＵ９０は、第１ＲＡＭ９２に記憶された一時読取設定フラグがオフか否かを判断する（Ｓ３０２）。一時読取設定フラグがオフであると判断した場合（Ｓ３０２：ＹＥＳ）、第１ＣＰＵ９０は、一時読取設定の設定項目である送信種別、送信先名称、解像度、およびファイル形式のそれぞれの設定内容を示すデータの初期データを第１ＲＡＭ９２に記憶する（Ｓ３０３）。具体的には、第１ＣＰＵ９０は、前述のＳ１の処理により第１ＲＡＭ９２に記憶された図１３（Ａ）に示す自動読取設定の各記憶項目のうち、送信種別、送信先名称、解像度、およびファイル形式の記憶内容を示すデータを一時読取設定の各記憶項目の初期データとして第１ＲＡＭ９２に記憶する。
【００９１】
第１ＣＰＵ９０は、前述と同様に、Ｓ１０５以降の処理を実行する。第１ＣＰＵ９０は、前述のＳ１１１の処理において、一時読取設定の設定確定指示に対応する一時読取設定を示すデータを第１ＲＡＭ９２に記憶した後、名刺の読取画像データを一時読取設定の送信先名称４７に対応する画像送信先へ送信するＳ１１５の処理を実行する。具体的には、第１ＣＰＵ９０は、前述と同様に、Ｓ１０５〜Ｓ１１１の処理により、一時読取設定に関するデータとして図１３（Ｂ）に示すテーブルが第１ＲＡＭ９２に記憶される。第１ＣＰＵ９０は、前述のＳ１１３、Ｓ１１４、およびＳ１１９の処理を実行することなく、Ｓ１１５の処理を実行する。第１ＣＰＵ９０は、前述のＳ１１５における（１）の処理において、第１ＲＡＭ９２に記憶された図１３（Ｂ）に示す一時読取設定の送信先名称４７であるＰＣを示すデータを第１ＲＡＭ９２の第５記憶領域５７から読み出す。第１ＣＰＵ９０は、前述のＳ１１５の処理における（２）以降の処理を実行する。
【００９２】
第１ＣＰＵ９０は、前述のＳ１１５の処理の実行後、Ｓ１１６の判断処理において、読取画像の画像送信先から送信終了を示す信号を受信したと判断した場合（Ｓ１１６：ＹＥＳ）、図３に図示しないタイマによって、送信終了を示す信号の受信からＲＯＭ９１に記憶された一定時間が経過したか否かを判断する（Ｓ３０４）。一定時間経過したと判断した場合（Ｓ３０４：ＹＥＳ）、第１ＣＰＵ９０は前述のＳ１１７の処理を実行する。一定時間経過していないと判断した場合（Ｓ３０４：ＮＯ）、第１ＣＰＵ９０は、原稿載置検知センサ２７によって、後続の原稿ＧＳが原稿載置面２ａ上に検出されたか否かを判断する（Ｓ３０６）。後続の原稿ＧＳが原稿載置面２ａ上に検出されなかったと判断した場合（Ｓ３０６：ＮＯ）、第１ＣＰＵ９０は、Ｓ３０４の判断処理を繰り返す。後続の原稿ＧＳが原稿載置面２ａ上に検出されたと判断した場合（Ｓ３０６：ＹＥＳ）、第１ＣＰＵ９０は、第１ＲＡＭ９２に記憶された一時読取設定フラグをオフからオンに変更し、変更された一時読取設定フラグを第１ＲＡＭ９２に記憶することで更新する（Ｓ３０７）。第１ＣＰＵ９０は、Ｓ３０７の処理実行後、Ｓ１０２以降の処理を実行する。第１ＣＰＵ９０は、一時読取設定フラグがオフではないと判断した場合（Ｓ３０２：ＮＯ）、第１ＲＡＭ９２に記憶された一時読取設定フラグをオンからオフに変更し、変更された一時読取設定フラグを第１ＲＡＭ９２に記憶することで更新する（Ｓ３０５）。第１ＣＰＵ９０は、Ｓ３０５の処理実行後、前述のＳ１１５以降の処理を実行する。第１ＣＰＵ９０は、Ｓ１１５の処理において、第１ＲＡＭ９２に記憶された後続の原稿ＧＳの読取画像データを、第１通信部１５によって、一時読取設定の送信先名称４７に従って、後続の原稿ＧＳの画像送信先へ送信する。
【００９３】
［作用効果］
本第２実施形態におけるスキャナ装置１は、原稿を支持する原稿トレイ２と、原稿トレイ２に支持される原稿の有無を検出する原稿載置検知センサ２７と、原稿トレイ２に支持される原稿を搬送する搬送部７と、搬送部７によって搬送される原稿の画像を読み取る読取部２４と、設定されるべき設定項目を示す画面を表示する第１表示部６と、画像処理部９４と、搬送部７および読取部２４を制御する第１ＣＰＵ９０と、を備える。第１ＣＰＵ９０は、Ｓ１０２およびＳ３０１の処理を実行する。これにより、第１ＣＰＵ９０が、Ｓ３０１の処理を実行しない場合に比べて、特定原稿である契約書を識別する精度を向上することが可能である。
【００９４】
スキャナ装置１は、第１ＲＡＭ９２の第５記憶領域５７を備え、第１ＣＰＵ９０は、Ｓ１１０、Ｓ１１１、Ｓ１１５、Ｓ１１７、Ｓ３００〜Ｓ３０２、およびＳ３０４〜Ｓ３０７の処理を実行する。これにより、第１ＣＰＵ９０は、Ｓ３０１の処理によって、特定原稿である契約書ではないと判断する毎に、Ｓ１０７の処理によって、候補画面を第１表示部６に表示する場合に比べて、Ｓ１１５、Ｓ３００〜Ｓ３０２、およびＳ３０４〜Ｓ３０７の実行により、候補画面を表示するＳ１０７の処理を実行する必要が無くなる。ユーザは、原稿の画像送信先を決定するための第１操作部５の操作が必要無くなる。ユーザの操作性向上を実現可能である。
【００９５】
［実施形態と発明との対応関係］
スキャナ装置１、または画像読取システム２００が、本発明の画像読取装置の一例である。第１ＣＰＵ９０、または第２ＣＰＵ１０１が、本発明の制御部の一例である。原稿載置検知センサ２７が、本発明の原稿有無センサの一例である。駆動部７、給紙ローラ２１、第１搬送ローラ２３、および第２搬送ローラ２６が、本発明の搬送部の一例である。自動読取設定の送信先名称４１が、本発明の特定送信先情報の一例である。第１ＲＡＭ９２、第２ＲＡＭ１０３、またはＨＤＤ１０２が、本発明の記憶部の一例である。Ｓ１０２が、本発明の自動読取処理の一例である。Ｓ１０１、またはＳ３０１が、本発明の判断処理の一例である。Ｓ１０３が、本発明の特定送信処理の一例である。Ｓ１０４〜Ｓ１１９は、本発明の送信制御処理の一例である。第１操作部５、または第２操作部１０５が、本発明の操作部の一例である。第１表示部６、または第２表示部１０６が、本発明の表示部の一例である。画像４〜６の表示情報４６が、本発明の表示情報の一例である。画像送信先設定の送信先名称４３が、本発明の送信先情報の一例である。Ｓ１０７が、本発明の候補表示処理の一例である。送信先候補画面６０が、本発明の候補画面の一例である。Ｓ１１０が、本発明の送信先決定処理の一例である。Ｓ１１５が、本発明の送信処理の一例である。第１サーバ３００が、本発明の第１外部制御装置の一例である。ＰＣ１００が、本発明の第２外部制御装置の一例である。広域通信網６００が、本発明の第１通信網の一例である。狭域通信網５００が、本発明の第２通信網の一例である。
【００９６】
Ｓ１１７が、本発明の記憶消去処理の一例である。図１４に示すＳ１１５、Ｓ３００〜Ｓ３０２、およびＳ３０４〜Ｓ３０７が、本発明の再送信処理の一例である。ＰＣ１００が、本発明の画像読取システムの外部制御装置の一例である。第１操作部５が、本発明の読取操作部の一例である。第１表示部６が、本発明の読取表示部の一例である。第６記憶領域５６が、本発明の表示情報記憶部の一例である。第５記憶領域５７が、本発明の決定送信先情報記憶部の一例である。第７記憶領域５３が、本発明の送信先情報記憶部の一例である。第１記憶領域５１が、本発明の特定送信先情報記憶部の一例である。第１ＣＰＵ９０が、本発明の読取制御部の一例である。第２操作部１０５が、本発明の外部操作部の一例である。第２表示部１０６が、本発明の外部表示部の一例である。第２ＣＰＵ１０１が、本発明の外部制御部の一例である。Ｓ２が、本発明の特定送信先記憶処理の一例である。第１原稿幅検知センサ２８ａおよび第２原稿幅検知センサ２８ｂが、本発明の原稿幅センサの一例である。自動読取設定の原稿サイズ４２が、本発明の特定原稿サイズの一例である。特定原稿画像の特徴量４５が、本発明の特定原稿識別情報の一例である。
【００９７】
［他の実施形態］
本発明は上記記述および図面によって説明した実施形態に限定されるものではなく、例えば、次のような実施形態も本発明の技術的範囲に含まれる。
【００９８】
（１）本実施形態では、図９に示すメイン処理、図１０および図１４に示す自動原稿搬送読取処理、および図１１に示すサブルーチン処理の全てが第１ＣＰＵ９０によって実行される構成であるが、この構成に限定されない。Ｓ２およびＳ４の処理、Ｓ１００〜Ｓ１１９の処理、Ｓ３００〜Ｓ３０７の処理が第２ＣＰＵ１０１により実行される構成であってもよい。ＰＣ１００における第２ＲＡＭ１０３またはＨＤＤ１０２が第１記憶領域５１、第２記憶領域５０、第３記憶領域５２、第４記憶領域５５、第５記憶領域５７、第６記憶領域５６、および第７記憶領域５３を備える構成であってもよい。Ｓ１０７の処理において、送信先候補画面６０は、第２表示部１０６に表示させる構成であってもよい。Ｓ１０８、Ｓ１０９、およびＳ１１３の処理において、第２操作部１０５によって押下されたキーの位置情報の検出、第２操作部１０５によって押下されたキーによる設定確定指示に対応する位置情報の検出、および第２操作部１０５によって押下されたキーによる読取開始指示に対応する位置情報の検出であってもよい。Ｓ１１８の処理において、第２表示部１０６に表示させる画面を変更する構成であってもよい。
【００９９】
（２）本実施形態では、第１ＣＰＵ９０は、検知原稿サイズと設定原稿サイズとが一致しない場合（Ｓ１０１：ＮＯ）、Ｓ１０４以降の処理を実行するとしたが、この構成に限定されない。第１ＣＰＵ９０は、検知原稿サイズと設定原稿サイズとが一致しない場合（Ｓ１０１：ＮＯ）、Ｓ１０４〜Ｓ１１９の処理を実行することなく、メイン処理を終了してもよい。
【０１００】
（３）本実施形態では、第１ＣＰＵ９０は、Ｓ１１１の処理において、Ｓ１１０の処理によって決定された画像送信先を示すデータを、一時読取設定の送信先名称４７として第１ＲＡＭ９２の第５記憶領域５７に記憶する構成としたが、これに限らない。第１ＣＰＵ９０は、Ｓ１１１の処理において、Ｓ１１０の処理によって決定された画像送信先に対応する画像送信先の送信先アドレスを、第１ＲＡＭ９２の第２記憶領域５０から読み出し、読み出した送信先アドレスを一時読取設定の送信先アドレスとして第１ＲＡＭ９２の第５記憶領域５７に記憶する構成であってもよい。第１ＣＰＵ９０は、Ｓ１１５の処理において、第１通信部１５によって、第１ＲＡＭ９２に記憶された読取画像データを、第１ＲＡＭ９２の第５記憶領域５７に記憶された一時読取設定の送信先アドレスに対応する画像送信先へ送信する構成であってもよい。
【０１０１】
（４）本実施形態では、第１ＣＰＵ９０は、Ｓ２の処理において、自動読取設定に関するデータのうち、の送信先名称４１を示すデータを第１ＲＡＭ９２の第１記憶領域５１に記憶する構成としたが、これに限らない。第１ＣＰＵ９０は、Ｓ２の処理において、送信先名称４１に対応する画像送信先の送信先アドレスを、第１ＲＡＭ９２の第２記憶領域５０から読み出し、読み出した送信先アドレスを自動読取設定の送信先アドレスとして第１ＲＡＭ９２の第１記憶領域５１に記憶する構成であってもよい。第１ＣＰＵ９０は、Ｓ１０３の処理において、第１通信部１５によって、第１ＲＡＭ９２に記憶された読取画像データを、第１ＲＡＭ９２の第１記憶領域５１に記憶された自動読取設定の送信先アドレスに対応する画像送信先へ送信する構成であってもよい。
【０１０２】
（５）本実施形態では、第１ＣＰＵ９０は、Ｓ２の処理において、画像送信先を示すデータとして、複数のＩＰアドレスを第１ＲＡＭ９２の第２記憶領域５０に記憶する構成としたが、これに限らない。第１ＣＰＵ９０は、Ｓ２の処理において、画像送信先を示すデータとして、１つのＩＰアドレスを第１ＲＡＭ９２の第２記憶領域５０に記憶する構成であってもよい。この場合、第１ＣＰＵ９０は、Ｓ１０７の処理において、第１ＲＡＭ９２の第２記憶領域５０に記憶された１つのＩＰアドレスに対応する画像送信先を対象候補として示す送信先候補画面を第１表示部６に表示する構成であってもよい。
【０１０３】
（６）本実施形態では、第１ＣＰＵ９０は、Ｓ２の処理を実行する構成としたが、これに限らない。第１ＣＰＵ９０は、事前登録処理において、ＰＣ１００から送信された画像送信先設定および自動読取設定を示すデータをＥＥＰＲＯＭ９３に記憶するとともに、第１ＲＡＭ９２に記憶する構成であってもよい。第１ＣＰＵ９０は、事前登録処理において、自動読取設定の送信先名称４１、画像４〜６の表示情報４６、自動読取設定の送信先アドレス４０、および特定原稿サイズ４２を、それぞれ第１ＲＡＭ９２の第１記憶領域５１、第６記憶領域５６、第２記憶領域５０、および第３記憶領域５２に記憶する構成であってもよい。
【０１０４】
（７）本実施形態では、第１ＣＰＵ９０は、Ｓ３０１の処理において、読取画像の特徴量と特定原稿の特徴量とが一致しているか否かを判断する処理を実行するが、これに限らない。特定原稿識別情報は、特定原稿画像の特徴量４５に限らず、特定原稿画像の一部の画像データまたは特定原稿内のバーコードの画像データ等の特定原稿を識別するための画像データであってもよい。特定原稿識別情報は、画像データに限らず、特定原稿の原稿サイズを示すデータであってもよい。この場合、第１ＣＰＵ９０は、Ｓ２０５の処理において、読取画像における主走査方向ＭＤの画素数から主走査方向ＭＤの幅を算出し、算出した主走査方向ＭＤの幅に従って、原稿ＧＳの原稿サイズを決定して第１ＲＡＭ９２に記憶する。第１ＣＰＵ９０は、Ｓ３０１の処理において、決定した原稿サイズと、第１ＲＡＭ９２に記憶された自動読取設定の原稿サイズとが一致するか否かを判断する構成であってもよい。第１ＣＰＵ９０は、上記Ｓ２０５の処理において、ＲＯＭ９１に記憶された原稿幅と原稿の定形サイズとが対応付けられたテーブルと、上記算出した主走査方向ＭＤの幅とに従って、原稿サイズを決定する構成であってもよい。
【０１０５】
（８）本第２実施形態では、第１ＣＰＵ９０は、Ｓ３００、Ｓ３０２、およびＳ３０４〜Ｓ３０７の処理を実行する構成としたが、本第１実施形態で実行する構成であってもよい。具体的には、第１実施形態において、第１ＣＰＵ９０は、Ｓ１００の処理の実行前に、Ｓ３００の処理を実行し、Ｓ１００、およびＳ１０１の処理を実行する構成であってもよい。第１ＣＰＵ９０は、Ｓ１０１の処理において、検知原稿サイズと、第１ＲＡＭ９２の第３記憶領域５２に記憶された自動読取設定の原稿サイズ４２とが一致しないと判断した場合（Ｓ１０１：ＮＯ）、Ｓ３０２の処理を実行する構成であってもよい。第１ＣＰＵ９０は、Ｓ３０２の処理において、一時読取設定フラグがオフであると判断した場合（Ｓ３０２：ＹＥＳ）、Ｓ１０４以降の処理を実行する構成であってもよい。第１ＣＰＵ９０は、Ｓ３０２の処理において、一時読取設定フラグがオフでないと判断した場合（Ｓ３０２：ＮＯ）、Ｓ３０５の処理を実行し、Ｓ１１１以降の処理を実行する構成であってもよい。第１ＣＰＵ９０は、Ｓ１１６の処理の実行後、Ｓ３０４の処理を実行する構成であってもよい。第１ＣＰＵ９０は、Ｓ３０４の処理において、一定時間経過したと判断した場合（Ｓ３０４：ＹＥＳ）、Ｓ１１７の処理を実行する構成であってもよい。第１ＣＰＵ９０は、Ｓ３０４の処理において、一定時間経過しなかったと判断した場合（Ｓ３０４：ＮＯ）、Ｓ３０６の処理を実行する構成であってもよい。第１ＣＰＵ９０は、Ｓ３０６の処理において、後続の原稿ＧＳが原稿載置面２ａ上に検出されなかったと判断した場合（Ｓ３０６：ＮＯ）、Ｓ３０４の判断処理を繰り返す構成であってもよい。第１ＣＰＵ９０は、Ｓ３０６の処理において、後続の原稿ＧＳが原稿載置面２ａ上に検出されたと判断した場合（Ｓ３０６：ＹＥＳ）、Ｓ３０７、Ｓ３００、およびＳ１００へ移行して処理を実行する構成であってもよい。ユーザが、複数の特定原稿以外の原稿である名刺の読取画像を同じ一時読取設定の画像送信先へ送信する場合、名刺の読取画像を一時読取設定の画像送信先へ送信する毎に、ユーザが操作部６によって一時読取設定の画像送信先を設定する手間が無くなる。ユーザの操作性向上を実現可能である。
【０１０６】
（９）本実施形態では、第１ＣＰＵ９０は、Ｓ１１０、Ｓ１１１、およびＳ１１２の処理の実行後、Ｓ１１３の処理において、読取開始指示に対応する位置情報として検出されたと判断した場合（Ｓ１１３：ＹＥＳ）、Ｓ１１４の処理を実行する構成としたが、これに限らない。第１ＣＰＵ９０は、Ｓ１１１の処理の実行後、Ｓ１１２、Ｓ１１３、およびＳ１１９の処理を実行することなく、Ｓ１１４の処理を実行する構成であってもよい。
【０１０７】
（１０）本実施形態では、第１ＣＰＵ９０は、Ｓ１１５の処理の実行後、Ｓ１１６の処理を実行する構成としたが、これに限らない。第１ＣＰＵ９０は、Ｓ１１５の処理の実行後、Ｓ１１６の処理を実行することなく、Ｓ３０４以降の処理を実行する構成であってもよい。
【０１０８】
（１１）本実施形態では、第１原稿幅検知センサ２８ａおよび第２原稿幅検知センサ２８ｂを原稿幅センサとする構成としたが、これに限らない。一対の原稿ガイド３０のうち、一方の原稿ガイド３０と、他方の原稿ガイド３０との間の主走査方向ＭＤの幅であるガイド幅を検出するガイドセンサで原稿幅センサを構成してもよい。この場合、第１ＣＰＵ９０は、Ｓ１００の処理において、上記ガイド幅に従って、原稿ＧＳの原稿サイズを決定して第１ＲＡＭ９２に記憶する。第１ＣＰＵ９０は、Ｓ１０１の処理において、決定した原稿サイズと、第１ＲＡＭ９２に記憶された自動読取設定の原稿サイズとが一致するか否かを判断する構成であってもよい。第１ＣＰＵ９０は、上記Ｓ１００の処理において、ＲＯＭ９１に記憶された原稿幅と定形サイズとが対応付けられたテーブルと、上記ガイド幅とに従って、原稿サイズを決定する構成であってもよい。
【０１０９】
（１２）本実施形態では、第１操作部５を操作ボタン等および第１表示部６をＬＣＤで構成したが、これに限らない。第１表示部６上に第１操作部５を設けたタッチパネルの構成であってもよい。
【符号の説明】
【０１１０】
２…原稿トレイ、２７…原稿載置検知センサ、７…駆動部、２１…給紙ローラ、
２３…第１搬送ローラ、２６…第２搬送ローラ、２４…読取部
９０…第１ＣＰＵ、９２…第１ＲＡＭ、１…スキャナ装置
【図１】
2019012880.tif 000003
【図２】
2019012880.tif 000004
【図３】
2019012880.tif 000005
【図４】
2019012880.tif 000006
【図５】
2019012880.tif 000007
【図６】
2019012880.tif 000008
【図７】
2019012880.tif 000009
【図８】
2019012880.tif 000010
【図９】
2019012880.tif 000011
【図１０】
2019012880.tif 000012
【図１１】
2019012880.tif 000013
【図１２】
2019012880.tif 000014
【図１３】
2019012880.tif 000015
【図１４】
2019012880.tif 000016